(57)【要約】  ＵＥ（１００）は、ソースセルからハンドオーバコマンドを受信し、ハンドオーバコマンドに応じてターゲットセルへのハンドオーバを行う。ハンドオーバコマンドは、ハンドオーバの際にランダムアクセスプロジージャを省略することを示す通知を含む。ＵＥ（１００）は、通知に応じて、ハンドオーバの際にランダムアクセスプロジージャを省略する。
2017130852.tif 000002
【特許請求の範囲】
【請求項１】
ソースセルからハンドオーバコマンドを受信し、前記ハンドオーバコマンドに応じてターゲットセルへのハンドオーバを行う制御部を備え、
前記ハンドオーバコマンドは、前記ハンドオーバの際にランダムアクセスプロジージャを省略することを示す通知を含み、
前記制御部は、前記通知に応じて、前記ハンドオーバの際に前記ランダムアクセスプロジージャを省略する
無線端末。
【請求項２】
前記制御部は、ハンドオーバよりも前において、前記ランダムアクセスプロジージャを省略した前記ハンドオーバを行う能力を有することを示す能力情報を前記ソースセルに送信し、
前記能力情報は、前記ランダムアクセスプロジージャを省略した前記ハンドオーバを適用するか否かの判断に用いられる
請求項１に記載の無線端末。
【請求項３】
前記制御部は、
前記ターゲットセルにおいて前記無線端末に割り当てられる上りリンク無線リソースを示す上りリンクグラントを前記ソースセルから受信する処理を行い、
前記ランダムアクセスプロジージャを省略するとともに、前記上りリンクグラントにより示される上りリンク無線リソースを用いて前記ターゲットセルへの上りリンク送信を行う
請求項１に記載の無線端末。
【請求項４】
前記ハンドオーバコマンドは、前記ターゲットセルへの上りリンク送信に適用すべきタイミングアドバンス値又はタイミングアドバンスグループ識別子を含み、
前記制御部は、前記タイミングアドバンス値又は前記タイミングアドバンスグループ識別子を用いて、前記ターゲットセルへの上りリンク送信タイミングを調整する
請求項１に記載の無線端末。
【請求項５】
前記制御部は、前記ハンドオーバよりも前において、自無線端末の移動速度を示す速度情報を含む測定報告を前記ソースセルに送信し、
前記速度情報は、前記ランダムアクセスプロジージャを省略した前記ハンドオーバを適用するか否かの判断、及び前記タイミングアドバンス値の決定の少なくとも一方に用いられる
請求項４に記載の無線端末。
【請求項６】
前記ハンドオーバコマンドは、前記ターゲットセルに対して追加するセカンダリセルの設定情報と、前記セカンダリセルをアクティブ化するアクティブ化指示と、を含み、
前記制御部は、前記設定情報に応じてセカンダリセルを設定し、かつ、前記アクティブ化指示に応じて、前記設定したセカンダリセルをアクティブ化する
請求項１に記載の無線端末。
【請求項７】
前記無線端末は、前記ハンドオーバよりも前において、前記ソースセルを管理するマスタ基地局と、セカンダリ基地局との二重接続を有し、
前記制御部は、前記ハンドオーバの際に、前記セカンダリ基地局のセルへのランダムアクセスプロシージャを省略する
請求項１に記載の無線端末。
【請求項８】
前記制御部は、前記ハンドオーバよりも前において、
前記ターゲットセルへの事前ランダムアクセスプロシージャを指示する指示情報を前記ソースセルから受信し、
前記指示情報に応じて、前記事前ランダムアクセスプロシージャを行う
請求項１に記載の無線端末。
【請求項９】
前記制御部は、前記ハンドオーバよりも前において、
前記ソースセルから送信された第１の既知信号及び前記ターゲットセルから送信された第２の既知信号を受信し、
前記第１及び第２の既知信号の到着時間差を算出し、
前記ソースセルに対して適用する第１のタイミングアドバンス値と前記到着時間差とに基づいて、前記ターゲットセルに対して適用する第２のタイミングアドバンス値を決定する
請求項１に記載の無線端末。
【請求項１０】
前記制御部は、前記ハンドオーバよりも前において、
前記第１及び第２の既知信号の受信電力差を算出し、
前記受信電力差に基づいて、前記ターゲットセルに対して適用する上りリンク送信電力を決定する
請求項９に記載の無線端末。
【請求項１１】
少なくとも無線端末のソースセルを管理する基地局であって、
ターゲットセルへのハンドオーバを指示するハンドオーバコマンドを無線端末に送信する制御部を備え、
前記ハンドオーバコマンドは、前記ハンドオーバの際にランダムアクセスプロジージャを省略することを示す通知を含む
基地局。
【請求項１２】
前記制御部は、
前記ハンドオーバよりも前において、前記ランダムアクセスプロジージャを省略した前記ハンドオーバを行う能力を有することを示す能力情報を前記無線端末から受信し、
前記ターゲットセルが他の基地局のセルである場合、前記能力情報を含むハンドオーバ要求メッセージを前記他の基地局に送信する
請求項１１に記載の基地局。
【請求項１３】
前記制御部は、前記ターゲットセルにおいて割り当てられる上りリンク無線リソースを示す上りリンクグラントを前記無線端末に送信する
請求項１１に記載の基地局。
【請求項１４】
前記制御部は、前記ターゲットセルが他の基地局のセルである場合、前記上りリンクグラントを前記他の基地局から受信し、受信した上りリンクグラントを前記無線端末に送信する
請求項１３に記載の基地局。
【請求項１５】
前記制御部は、前記ターゲットセルへの上りリンク送信に適用すべきタイミングアドバンス値又はタイミングアドバンスグループ識別子を含む前記ハンドオーバコマンドを前記無線端末に送信する
請求項１１に記載の基地局。
【請求項１６】
前記制御部は、前記ターゲットセルが他の基地局のセルである場合、前記タイミングアドバンス値又は前記タイミングアドバンスグループ識別子を含むハンドオーバ承認メッセージを前記他の基地局から受信する
請求項１５に記載の基地局。
【請求項１７】
前記制御部は、前記ターゲットセルが他の基地局のセルである場合、前記無線端末の移動速度を示す速度情報を含むハンドオーバ要求メッセージを前記他の基地局に送信する
請求項１１に記載の基地局。
【請求項１８】
前記制御部は、前記無線端末の送信バッファに蓄積されたデータ量を示すバッファ状態情報を含むハンドオーバ要求メッセージを前記他の基地局に送信する
請求項１１に記載の基地局。
【請求項１９】
前記制御部は、前記ターゲットセルに対して追加するセカンダリセルの設定情報と、前記セカンダリセルをアクティブ化するアクティブ化指示と、を含む前記ハンドオーバコマンドを前記無線端末に送信する
請求項１１に記載の基地局。
【請求項２０】
前記制御部は、前記ターゲットセルが他の基地局のセルである場合、前記設定情報と前記アクティブ化指示とを含むハンドオーバ承認メッセージを前記他の基地局から受信する
請求項１９に記載の基地局。
【請求項２１】
前記基地局は、セカンダリ基地局と共に、前記無線端末との二重接続を有し、
前記制御部は、前記セカンダリ基地局のセルへのランダムアクセスプロシージャを省略するためのセカンダリ基地局情報を含む前記ハンドオーバコマンドを前記無線端末に送信する
請求項１１に記載の基地局。
【請求項２２】
前記制御部は、前記ターゲットセルが他の基地局のセルである場合、前記セカンダリ基地局情報を含むハンドオーバ承認メッセージを前記他の基地局から受信する
請求項２１に記載の基地局。
【請求項２３】
前記制御部は、前記ハンドオーバよりも前において、前記ターゲットセルへの事前ランダムアクセスプロシージャを指示する指示情報を前記無線端末に送信する
請求項１１に記載の基地局。
【請求項２４】
前記制御部は、前記ターゲットセルが他の基地局のセルである場合、前記ハンドオーバよりも前において、前記他の基地局をセカンダリ基地局として追加する
請求項２３に記載の基地局。
【請求項２５】
無線端末のターゲットセルを管理する基地局であって、
ソースセルを管理する他の基地局からハンドオーバ要求メッセージを受信し、ハンドオーバ承認メッセージを前記他の基地局に送信する制御部を備え、
前記ハンドオーバ要求メッセージは、ランダムアクセスプロジージャを省略したハンドオーバを行う能力を前記無線端末が有することを示す能力情報を含み、
前記ハンドオーバ承認メッセージは、前記ハンドオーバの際にランダムアクセスプロジージャを省略することを示す通知を含む
基地局。
【請求項２６】
前記制御部は、前記ターゲットセルにおいて前記無線端末に割り当てられる上りリンク無線リソースを示す上りリンクグラントを前記他の基地局に送信する
請求項２５に記載の基地局。
【請求項２７】
前記制御部は、前記ターゲットセルへの上りリンク送信に適用すべきタイミングアドバンス値又はタイミングアドバンスグループ識別子を含む前記ハンドオーバ承認メッセージを前記他の基地局に送信する
請求項２５に記載の基地局。
【請求項２８】
前記ハンドオーバ要求メッセージは、前記無線端末の移動速度を示す速度情報を含み、
前記制御部は、前記速度情報に基づいて、前記ランダムアクセスプロジージャを省略した前記ハンドオーバを適用するか否かの判断、及び前記タイミングアドバンス値の決定の少なくとも一方を行う
請求項２７に記載の基地局。
【請求項２９】
前記ハンドオーバ要求メッセージは、前記無線端末の送信バッファに蓄積されたデータ量を示すバッファ状態情報を含み、
前記制御部は、前記バッファ状態情報に基づいて、前記ターゲットセルにおいて前記無線端末に割り当てられる無線リソースを決定する
請求項２５に記載の基地局。
【請求項３０】
前記制御部は、前記ターゲットセルに対して追加するセカンダリセルの設定情報と、前記セカンダリセルをアクティブ化するアクティブ化指示と、を含む前記ハンドオーバ承認メッセージを前記他の基地局に送信する
請求項２５に記載の基地局。
【請求項３１】
前記制御部は、セカンダリ基地局のセルへのランダムアクセスプロシージャを省略するためのセカンダリ基地局情報を含む前記ハンドオーバ承認メッセージを前記他の基地局に送信する
請求項２５に記載の基地局。
【請求項３２】
前記ハンドオーバよりも前において、前記制御部は、事前ランダムアクセスプロシージャを前記無線端末と行う
請求項２５に記載の基地局。
【発明の詳細な説明】
【技術分野】
【０００１】
本発明は、移動通信システムにおいて用いられる無線端末及び基地局に関する。
【背景技術】
【０００２】
移動通信システムにおいて、無線端末は、ソースセルからターゲットセルへのハンドオーバを行う。無線端末は、ハンドオーバの際に、ランダムアクセスプロシージャをターゲットセルと行う。ランダムアクセスプロシージャは、ＲＡＣＨ（Ｒａｎｄｏｍ  Ａｃｃｅｓｓ  Ｃｈａｎｎｅｌ）プロシージャと称されることもある。【０００３】
ランダムアクセスプロシージャは、無線端末がランダムアクセスプリアンブルをターゲットセルに送信する処理と、無線端末がランダムアクセス応答をターゲットセルから受信する処理と、を含む。ランダムアクセス応答は、ターゲットセルにおいて無線端末に割り当てられる上りリンク無線リソースを示す上りリンクグラントと、ターゲットセルへの上りリンク送信に適用すべきタイミングアドバンス値（送信タイミング調整値）と、を含む。
【先行技術文献】
【非特許文献】
【０００４】
【非特許文献１】３ＧＰＰ寄書「ＲＰ−１５１９６８」
【非特許文献２】３ＧＰＰ寄書「ＲＰ−１５１９６９」
【発明の概要】
【０００５】
第１の側面に係る無線端末は、ソースセルからハンドオーバコマンドを受信し、前記ハンドオーバコマンドに応じてターゲットセルへのハンドオーバを行う制御部を備える。前記ハンドオーバコマンドは、前記ハンドオーバの際にランダムアクセスプロジージャを省略することを示す通知を含む。前記制御部は、前記通知に応じて、前記ハンドオーバの際に前記ランダムアクセスプロジージャを省略する。
【０００６】
第２の側面に係る基地局は、少なくとも無線端末のソースセルを管理する。前記基地局は、ターゲットセルへのハンドオーバを指示するハンドオーバコマンドを無線端末に送信する制御部を備える。前記ハンドオーバコマンドは、前記ハンドオーバの際にランダムアクセスプロジージャを省略することを示す通知を含む。
【０００７】
第３の側面に係る基地局は、無線端末のターゲットセルを管理する。前記基地局は、ソースセルを管理する他の基地局からハンドオーバ要求メッセージを受信し、ハンドオーバ承認メッセージを前記他の基地局に送信する制御部を備える。前記ハンドオーバ要求メッセージは、ランダムアクセスプロジージャを省略したハンドオーバを行う能力を前記無線端末が有することを示す能力情報を含む。前記ハンドオーバ承認メッセージは、前記ハンドオーバの際にランダムアクセスプロジージャを省略することを示す通知を含む。
【図面の簡単な説明】
【０００８】
【図１】ＬＴＥシステムの構成を示す図である。
【図２】ＵＥ（無線端末）の構成を示す図である。
【図３】ｅＮＢ（基地局）の構成を示す図である。
【図４】ＬＴＥシステムにおける無線インターフェイスのプロトコルスタックの構成を示す図である。
【図５】ＬＴＥシステムにおいて用いられる無線フレームの構成を示す図である。
【図６】一般的なランダムアクセスプロシージャ及び上りリンクの送信手順のシーケンスを示す図である。
【図７】第１実施形態に係るハンドオーバシーケンスを示す図である。
【図８】第２実施形態に係るハンドオーバシーケンスを示す図である。
【図９】第３実施形態に係るハンドオーバシーケンスを示す図である。
【図１０】第４実施形態に係るハンドオーバシーケンスを示す図である。
【図１１】ダブルＢＳＲを示す図である。
【図１２】第５実施形態に係るハンドオーバシーケンスを示す図である。
【図１３】第６実施形態に係るハンドオーバシーケンスを示す図である。
【図１４】第６実施形態の変更例に係るハンドオーバシーケンスを示す図である。
【図１５】第６実施形態の変更例に係るターゲットｅＮＢにおけるランダムアクセスプリアンブルの受信タイミングを示す図である。
【図１６】第７実施形態に係る第１及び第２の既知信号を示す図である。
【発明を実施するための形態】
【０００９】
（実施形態の概要）
第１〜第７実施形態に係る無線端末は、ソースセルからハンドオーバコマンドを受信し、前記ハンドオーバコマンドに応じてターゲットセルへのハンドオーバを行う制御部を備える。前記ハンドオーバコマンドは、前記ハンドオーバの際にランダムアクセスプロジージャを省略することを示す通知を含む。前記制御部は、前記通知に応じて、前記ハンドオーバの際に前記ランダムアクセスプロジージャを省略する。
【００１０】
第１〜第７実施形態に係る無線端末において、前記制御部は、ハンドオーバよりも前において、前記ランダムアクセスプロジージャを省略した前記ハンドオーバを行う能力を有することを示す能力情報を前記ソースセルに送信する。前記能力情報は、前記ランダムアクセスプロジージャを省略した前記ハンドオーバを適用するか否かの判断に用いられる。
【００１１】
第１〜第７実施形態に係る無線端末において、前記ハンドオーバコマンドは、前記ターゲットセルにおいて前記無線端末に割り当てられる上りリンク無線リソースを示す上りリンクグラントを含む。前記制御部は、前記ランダムアクセスプロジージャを省略するとともに、前記上りリンクグラントにより示される上りリンク無線リソースを用いて前記ターゲットセルへの上りリンク送信を行う。
【００１２】
第２実施形態に係る無線端末において、前記ハンドオーバコマンドは、前記ターゲットセルへの上りリンク送信に適用すべきタイミングアドバンス値又はタイミングアドバンスグループ識別子を含む。前記制御部は、前記タイミングアドバンス値又は前記タイミングアドバンスグループ識別子を用いて、前記ターゲットセルへの上りリンク送信タイミングを調整する。
【００１３】
第２実施形態に係る無線端末において、前記制御部は、前記ハンドオーバよりも前において、自無線端末の移動速度を示す速度情報を含む測定報告を前記ソースセルに送信する。前記速度情報は、前記ランダムアクセスプロジージャを省略した前記ハンドオーバを適用するか否かの判断、及び前記タイミングアドバンス値の決定の少なくとも一方に用いられる。
【００１４】
第４実施形態に係る無線端末において、前記ハンドオーバコマンドは、前記ターゲットセルに対して追加するセカンダリセルの設定情報と、前記セカンダリセルをアクティブ化するアクティブ化指示と、を含む。前記制御部は、前記設定情報に応じてセカンダリセルを設定し、かつ、前記アクティブ化指示に応じて、前記設定したセカンダリセルをアクティブ化する。
【００１５】
第５実施形態に係る無線端末は、前記ハンドオーバよりも前において、前記ソースセルを管理するマスタ基地局と、セカンダリ基地局との二重接続を有する。前記制御部は、前記ハンドオーバの際に、前記セカンダリ基地局のセルへのランダムアクセスプロシージャを省略する。
【００１６】
第６実施形態に係る無線端末において、前記制御部は、前記ハンドオーバよりも前において、前記ターゲットセルへの事前ランダムアクセスプロシージャを指示する指示情報を前記ソースセルから受信し、前記指示情報に応じて、前記事前ランダムアクセスプロシージャを行う。
【００１７】
第７実施形態に係る無線端末において、前記制御部は、前記ハンドオーバよりも前において、前記ソースセルから送信された第１の既知信号及び前記ターゲットセルから送信された第２の既知信号を受信し、前記第１及び第２の既知信号の到着時間差を算出し、前記ソースセルに対して適用する第１のタイミングアドバンス値と前記到着時間差とに基づいて、前記ターゲットセルに対して適用する第２のタイミングアドバンス値を決定する。
【００１８】
第７実施形態に係る無線端末において、前記制御部は、前記ハンドオーバよりも前において、前記第１及び第２の既知信号の受信電力差を算出し、前記受信電力差に基づいて、前記ターゲットセルに対して適用する上りリンク送信電力を決定する。
【００１９】
第１〜第７実施形態に係る基地局は、少なくとも無線端末のソースセルを管理する。前記基地局は、ターゲットセルへのハンドオーバを指示するハンドオーバコマンドを無線端末に送信する制御部を備える。前記ハンドオーバコマンドは、前記ハンドオーバの際にランダムアクセスプロジージャを省略することを示す通知を含む。
【００２０】
第１〜第７実施形態に係る基地局において、前記制御部は、前記ハンドオーバよりも前において、前記ランダムアクセスプロジージャを省略した前記ハンドオーバを行う能力を有することを示す能力情報を前記無線端末から受信する。前記制御部は、前記ターゲットセルが他の基地局のセルである場合、前記能力情報を含むハンドオーバ要求メッセージを前記他の基地局に送信する。
【００２１】
第１〜第７実施形態に係る基地局において、前記制御部は、前記ターゲットセルにおいて割り当てられる上りリンク無線リソースを示す上りリンクグラントを含む前記ハンドオーバコマンドを前記無線端末に送信する。
【００２２】
第１〜第７実施形態に係る基地局において、前記制御部は、前記ターゲットセルが他の基地局のセルである場合、前記上りリンクグラントを含むハンドオーバ承認メッセージを前記他の基地局から受信する。
【００２３】
第２実施形態に係る基地局において、前記制御部は、前記ターゲットセルへの上りリンク送信に適用すべきタイミングアドバンス値又はタイミングアドバンスグループ識別子を含む前記ハンドオーバコマンドを前記無線端末に送信する。
【００２４】
第２実施形態に係る基地局において、前記制御部は、前記ターゲットセルが他の基地局のセルである場合、前記タイミングアドバンス値又は前記タイミングアドバンスグループ識別子を含むハンドオーバ承認メッセージを前記他の基地局から受信する。
【００２５】
第２実施形態に係る基地局において、前記制御部は、前記ターゲットセルが他の基地局のセルである場合、前記無線端末の移動速度を示す速度情報を含むハンドオーバ要求メッセージを前記他の基地局に送信する。
【００２６】
第３実施形態に係る基地局において、前記制御部は、前記無線端末の送信バッファに蓄積されたデータ量を示すバッファ状態情報を含むハンドオーバ要求メッセージを前記他の基地局に送信する。
【００２７】
第４実施形態に係る基地局において、前記制御部は、前記ターゲットセルに対して追加するセカンダリセルの設定情報と、前記セカンダリセルをアクティブ化するアクティブ化指示と、を含む前記ハンドオーバコマンドを前記無線端末に送信する。
【００２８】
第４実施形態に係る基地局において、前記制御部は、前記ターゲットセルが他の基地局のセルである場合、前記設定情報と前記アクティブ化指示とを含むハンドオーバ承認メッセージを前記他の基地局から受信する。
【００２９】
第５実施形態に係る基地局において、前記基地局は、セカンダリ基地局と共に、前記無線端末との二重接続を有する。前記制御部は、前記セカンダリ基地局のセルへのランダムアクセスプロシージャを省略するためのセカンダリ基地局情報を含む前記ハンドオーバコマンドを前記無線端末に送信する。
【００３０】
第５実施形態に係る基地局において、前記制御部は、前記ターゲットセルが他の基地局のセルである場合、前記セカンダリ基地局情報を含むハンドオーバ承認メッセージを前記他の基地局から受信する。
【００３１】
第６実施形態に係る基地局において、前記制御部は、前記ハンドオーバよりも前において、前記ターゲットセルへの事前ランダムアクセスプロシージャを指示する指示情報を前記無線端末に送信する。
【００３２】
第６実施形態に係る基地局において、前記制御部は、前記ターゲットセルが他の基地局のセルである場合、前記ハンドオーバよりも前において、前記他の基地局をセカンダリ基地局として追加する。
【００３３】
第１〜第７実施形態に係る基地局（ターゲット基地局）は、無線端末のターゲットセルを管理する。前記基地局は、ソースセルを管理する他の基地局からハンドオーバ要求メッセージを受信し、ハンドオーバ承認メッセージを前記他の基地局に送信する制御部を備える。前記ハンドオーバ要求メッセージは、ランダムアクセスプロジージャを省略したハンドオーバを行う能力を前記無線端末が有することを示す能力情報を含む。前記ハンドオーバ承認メッセージは、前記ハンドオーバの際にランダムアクセスプロジージャを省略することを示す通知を含む。
【００３４】
第１〜第７実施形態に係る基地局（ターゲット基地局）において、前記制御部は、前記ターゲットセルにおいて前記無線端末に割り当てられる上りリンク無線リソースを示す上りリンクグラントを含む前記ハンドオーバ承認メッセージを前記他の基地局に送信する。
【００３５】
第２実施形態に係る基地局（ターゲット基地局）において、前記制御部は、前記ターゲットセルへの上りリンク送信に適用すべきタイミングアドバンス値又はタイミングアドバンスグループ識別子を含む前記ハンドオーバ承認メッセージを前記他の基地局に送信する。
【００３６】
第２実施形態に係る基地局（ターゲット基地局）において、前記ハンドオーバ要求メッセージは、前記無線端末の移動速度を示す速度情報を含む。前記制御部は、前記速度情報に基づいて、前記ランダムアクセスプロジージャを省略した前記ハンドオーバを適用するか否かの判断、及び前記タイミングアドバンス値の決定の少なくとも一方を行う。
【００３７】
第３実施形態に係る基地局（ターゲット基地局）において、前記ハンドオーバ要求メッセージは、前記無線端末の送信バッファに蓄積されたデータ量を示すバッファ状態情報を含む。前記制御部は、前記バッファ状態情報に基づいて、前記ターゲットセルにおいて前記無線端末に割り当てられる無線リソースを決定する。
【００３８】
第４実施形態に係る基地局（ターゲット基地局）において、前記制御部は、前記ターゲットセルに対して追加するセカンダリセルの設定情報と、前記セカンダリセルをアクティブ化するアクティブ化指示と、を含む前記ハンドオーバ承認メッセージを前記他の基地局に送信する。
【００３９】
第５実施形態に係る基地局（ターゲット基地局）において、前記制御部は、セカンダリ基地局のセルへのランダムアクセスプロシージャを省略するためのセカンダリ基地局情報を含む前記ハンドオーバ承認メッセージを前記他の基地局に送信する。
【００４０】
第６実施形態に係る基地局（ターゲット基地局）において、前記ハンドオーバよりも前において、前記制御部は、事前ランダムアクセスプロシージャを前記無線端末と行う。
【００４１】
（移動通信システムの構成）
実施形態に係る移動通信システムの構成について説明する。図１は、実施形態に係る移動通信システムであるＬＴＥシステムの構成を示す図である。図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００４２】
ＵＥ１００は、無線端末に相当する。ＵＥ１００は、移動型の通信装置である。ＵＥ１００は、セル（サービングセル）との無線通信を行う。
【００４３】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。
【００４４】
ｅＮＢ２００は、１又は複数のセルを管理する。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能を示す用語としても用いられる。
【００４５】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。
【００４６】
図２は、ＵＥ１００（無線端末）の構成を示す図である。図２に示すように、ＵＥ１００は、受信部１１０、送信部１２０、及び制御部１３０を備える。
【００４７】
受信部１１０は、制御部１３０の制御下で各種の受信を行う。受信部１１０は、アンテナ及び受信機を含む。受信機は、アンテナが受信する無線信号をベースバンド信号（受信信号）に変換する。受信機は、ベースバンド信号を制御部１３０に出力する。
【００４８】
送信部１２０は、制御部１３０の制御下で各種の送信を行う。送信部１２０は、アンテナ及び送信機を含む。送信機は、制御部１３０が出力するベースバンド信号（送信信号）を無線信号に変換する。送信機は、無線信号をアンテナから送信する。
【００４９】
制御部１３０は、ＵＥ１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。プロセッサは、音声・映像信号の符号化・復号を行うコーデックを含んでもよい。プロセッサは、後述する処理を実行する。
【００５０】
図３は、ｅＮＢ２００（基地局）の構成を示す図である。図３に示すように、ｅＮＢ２００は、送信部２１０、受信部２２０、制御部２３０、及びバックホール通信部２４０を備える。
【００５１】
送信部２１０は、制御部２３０の制御下で各種の送信を行う。送信部２１０は、アンテナ及び送信機を含む。送信機は、制御部２３０が出力するベースバンド信号（送信信号）を無線信号に変換する。送信機は、無線信号をアンテナから送信する。
【００５２】
受信部２２０は、制御部２３０の制御下で各種の受信を行う。受信部２２０は、アンテナ及び受信機を含む。受信機は、アンテナが受信する無線信号をベースバンド信号（受信信号）に変換する。受信機は、ベースバンド信号を制御部２３０に出力する。
【００５３】
制御部２３０は、ｅＮＢ２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。プロセッサは、上述した処理及び後述する処理を実行する。
【００５４】
バックホール通信部２４０は、Ｘ２インターフェイスを介して隣接ｅＮＢ２００と接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００５５】
図４は、ＬＴＥシステムにおける無線インターフェイスのプロトコルスタックの構成を示す図である。図４に示すように、無線インターフェイスプロトコルは、ＯＳＩ参照モデルの第１層乃至第３層に区分されている。第１層は物理（ＰＨＹ）層を含む。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御情報が伝送される。
【００５７】
ＭＡＣ層は、データの優先制御、ハイブリッドＡＲＱ（ＨＡＲＱ）による再送処理、及びランダムアクセスプロシージャ等を行う。ＵＥ１００のＭＡＣ層とｅＮＢ２００のＭＡＣ層との間では、トランスポートチャネルを介してデータ及び制御情報が伝送される。ｅＮＢ２００のＭＡＣ層は、スケジューラを含む。スケジューラは、上下リンクのトランスポートフォーマット（トランスポートブロックサイズ、変調・符号化方式（ＭＣＳ））及びＵＥ１００への割当リソースブロックを決定する。
【００５８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御情報が伝送される。
【００５９】
ＰＤＣＰ層は、ヘッダ圧縮・伸張、及び暗号化・復号化を行う。
【００６０】
ＲＲＣ層は、制御情報を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００６１】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００６２】
図５は、ＬＴＥシステムにおいて用いられる無線フレームの構成を示す図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が適用される。ＬＴＥシステムは、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用される。
【００６３】
図５に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは０．５ｍｓである。各サブフレームは、周波数方向に複数個のリソースブロック（ＲＢ）を含む。各サブフレームは、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定できる。時間リソースはサブフレーム（又はスロット）により特定できる。
【００６４】
下りリンクにおいて、各サブフレームの先頭数シンボルの区間は、主に下りリンク制御情報を伝送するための物理下りリンク制御チャネル（ＰＤＣＣＨ）、及び、ＨＡＲＱ  ＡＣＫ／ＮＡＣＫを伝送するための物理ＨＡＲＱインジケータチャネル（ＰＨＩＣＨ）として用いられる領域である。各サブフレームの残りの部分は、主に下りリンクデータを伝送するための物理下りリンク共有チャネル（ＰＤＳＣＨ）として用いることができる領域である。
【００６５】
ｅＮＢ２００は、基本的には、ＰＤＣＣＨを用いて下りリンク制御情報（ＤＣＩ）をＵＥ１００に送信する。ｅＮＢ２００は、基本的には、ＰＤＳＣＨを用いて下りリンクデータをＵＥ１００に送信する。ＰＤＣＣＨが搬送する下りリンク制御情報は、上りリンクスケジューリング情報、下りリンクスケジューリング情報、ＴＰＣコマンドを含む。上りリンクスケジューリング情報は上りリンク無線リソースの割当てに関するスケジューリング情報（ＵＬ  ｇｒａｎｔ）である。下りリンクスケジューリング情報は、下りリンク無線リソースの割当てに関するスケジューリング情報である。ＴＰＣコマンドは、上りリンクの送信電力の増減を指示する情報である。ｅＮＢ２００は、下りリンク制御情報の送信先のＵＥ１００を識別するために、送信先のＵＥ１００の識別子（ＲＮＴＩ：Ｒａｄｉｏ  Ｎｅｔｗｏｒｋ  Ｔｅｍｐｏｒａｒｙ  ＩＤ）でスクランブリングしたＣＲＣビットを下りリンク制御情報に含める。各ＵＥ１００は、自ＵＥ宛ての可能性がある下りリンク制御情報について、自ＵＥのＲＮＴＩでデスクランブリングする。各ＵＥ１００は、デスクランブリング後、ＣＲＣチェックをすることにより、ＰＤＣＣＨをブラインド復号（Ｂｌｉｎｄ  ｄｅｃｏｄｉｎｇ）し、自ＵＥ宛の下りリンク制御情報を検出する。ＰＤＳＣＨは、下りリンクスケジューリング情報が示す下りリンク無線リソース（リソースブロック）により下りリンクデータを搬送する。
【００６６】
上りリンクにおいて、各サブフレームにおける周波数方向の両端部は、主に上りリンク制御情報を伝送するための物理上りリンク制御チャネル（ＰＵＣＣＨ）として用いられる領域である。各サブフレームにおける残りの部分は、主に上りリンクデータを伝送するための物理上りリンク共有チャネル（ＰＵＳＣＨ）として用いることができる領域である。
【００６７】
ＵＥ１００は、基本的には、ＰＵＣＣＨを用いて上りリンク制御情報（ＵＣＩ）をｅＮＢ２００に送信する。ＵＥ１００は、基本的には、ＰＵＳＣＨを用いて上りリンクデータをｅＮＢ２００に送信する。ＰＵＣＣＨが運搬する上りリンク制御情報は、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、スケジューリング要求（ＳＲ）、ＨＡＲＱ  ＡＣＫ／ＮＡＣＫを含む。ＣＱＩは、下りリンクのチャネル品質を示すインデックスであり、下りリンク伝送に用いるべきＭＣＳの決定等に用いられる。ＰＭＩは、下りリンクの伝送のために用いることが望ましいプレコーダマトリックスを示すインデックスである。ＲＩは、下りリンクの伝送に用いることが可能なレイヤ数（ストリーム数）を示すインデックスである。ＳＲは、ＰＵＳＣＨリソースの割り当てを要求する情報である。ＨＡＲＱ  ＡＣＫ／ＮＡＣＫは、下りリンクデータを正しく受信したか否かを示す送達確認情報である。
【００６８】
（一般的なランダムアクセスプロシージャ）
以下において、一般的なランダムアクセスプロシージャについて説明する。図６は、一般的なランダムアクセスプロシージャ及び上りリンクの送信手順のシーケンスを示す図である。図６の初期状態において、ＵＥ１００は、ＲＲＣコネクティッドモード又はＲＲＣアイドルモードである。
【００６９】
図６に示すように、ＲＲＣコネクティッドモードのＵＥ１００は、上りリンク同期状態が非同期（Ｎｏｎ−ｓｙｎｃｈｒｏｎｉｓｅｄ）である場合、上りリンク送信を行うために、ランダムアクセスプロシージャ（ステップＳ１）を行う。ＲＲＣアイドルモードのＵＥ１００は、初期接続（Ｉｎｉｔｉａｌ  ａｃｃｅｓｓ）を行うために、ランダムアクセスプロシージャ（ステップＳ１）を行う。ＵＥ１００は、ランダムアクセスプロシージャ（ステップＳ１）の終了後に、上りリンクの送信手順（ステップＳ２）を行うことにより、上りリンクデータ（ＵＬデータ）をｅＮＢ２００に送信する。
【００７０】
ランダムアクセスプロシージャ（ステップＳ１）について説明する。ステップＳ１は、ステップＳ１−１乃至Ｓ１−４からなる。
【００７１】
ステップＳ１−１において、ＵＥ１００は、ランダムアクセスプロシージャの第１の処理として、ランダムアクセスプリアンブル（ＲＡ  Ｐｒｅａｍｂｌｅ）を物理ランダムアクセスチャネル（ＰＲＡＣＨ）上でｅＮＢ２００に送信する。「ＲＡ  Ｐｒｅａｍｂｌｅ」は、Ｍｓｇ１と称されることがある。「ＲＡ  Ｐｒｅａｍｂｌｅ」は、ＭＡＣ層においてＵＥ１００からｅＮＢ２００へのランダムアクセスを行うための信号である。ｅＮＢ２００は、「ＲＡ  Ｐｒｅａｍｂｌｅ」を受信する。
【００７２】
ステップＳ１−２において、ｅＮＢ２００は、ランダムアクセスプロシージャの第２の処理として、下りリンク共有チャネル（ＤＬ−ＳＣＨ）上でランダムアクセス応答（ＲＡ  Ｒｅｓｐｏｎｓｅ）をＵＥ１００に送信する。「ＲＡ  Ｒｅｓｐｏｎｓｅ」は、ＭＡＣ制御要素（ＭＡＣ  ＣＥ）の一種であり、Ｍｓｇ２と称されることがある。ｅＮＢ２００は、ＵＥ１００から受信した「ＲＡ  Ｐｒｅａｍｂｌｅ」に基づいて、ＵＥ１００との間の上りリンク遅延を推定する。また、ｅＮＢ２００は、ＵＥ１００に割り当てる上りリンク無線リソースを決定する。そして、ｅＮＢ２００は、遅延推定の結果に基づくタイミング補正値であるタイミングアドバンス値（ＴＡ：Ｔｉｍｉｎｇ  Ａｄｖａｎｃｅ）と、上りリンク無線リソースの割り当て情報（ＵＬ  ｇｒａｎｔ）と、プリアンブル識別子（Ｐｒｅａｍｂｌｅ  ＩＤ）と、「Ｔｅｍｐｏｒａｒｙ  Ｃ−ＲＮＴＩ」と、を含む「ＲＡ  Ｒｅｓｐｏｎｓｅ」をＵＥ１００に送信する。なお、「Ｐｒｅａｍｂｌｅ  ＩＤ」は、ＵＥ１００から受信した「ＲＡ  Ｐｒｅａｍｂｌｅ」の信号系列を示すＩＤである。また、物理層（ＰＤＣＣＨ）において、「ＲＡ  Ｒｅｓｐｏｎｓｅ」の送信には専用のＲＮＴＩ（ＲＡ−ＲＮＴＩ）が用いられる。ＵＥ１００は、「ＲＡ  Ｒｅｓｐｏｎｓｅ」を受信する。
【００７３】
ステップＳ１−３において、ＵＥ１００は、ランダムアクセスプロシージャの第３の処理として、「ＲＡ  Ｒｅｓｐｏｎｓｅ」に基づいて上りリンク共有チャネル（ＵＬ−ＳＣＨ）上でｅＮＢ２００に上りリンク送信（Ｓｃｈｅｄｕｌｅｄ  Ｔｒａｎｓｍｉｓｓｉｏｎ）を行う。「Ｓｃｈｅｄｕｌｅｄ  Ｔｒａｎｓｍｉｓｓｉｏｎ」は、Ｍｓｇ３と称されることがある。初期接続（Ｉｎｉｔｉａｌ  ａｃｃｅｓｓ）の場合、「Ｓｃｈｅｄｕｌｅｄ  Ｔｒａｎｓｍｉｓｓｉｏｎ」は、「ＲＲＣ  Ｃｏｎｎｅｃｔｉｏｎ  Ｒｅｑｕｅｓｔ」メッセージである。それ以外の場合（すなわち、ＵＥ１００にＣ−ＲＮＴＩが割り当てられている場合）、「Ｓｃｈｅｄｕｌｅｄ  Ｔｒａｎｓｍｉｓｓｉｏｎ」は、ＵＥ１００のＣ−ＲＮＴＩを含むメッセージ（又はデータ）である。ＵＥ１００にＣ−ＲＮＴＩが割り当てられている場合とは、ＵＥ１００がハンドオーバを行う場合等である。ｅＮＢ２００は、「Ｓｃｈｅｄｕｌｅｄ  Ｔｒａｎｓｍｉｓｓｉｏｎ」を受信する。
【００７４】
ステップＳ１−４において、ｅＮＢ２００は、ランダムアクセスプロシージャの第４の処理として、競合解決（Ｃｏｎｔｅｎｔｉｏｎ  Ｒｅｓｏｌｕｔｉｏｎ）メッセージをＵＥ１００に送信する。「Ｃｏｎｔｅｎｔｉｏｎ  Ｒｅｓｏｌｕｔｉｏｎ」メッセージは、Ｍｓｇ４と称されることがある。「Ｃｏｎｔｅｎｔｉｏｎ  Ｒｅｓｏｌｕｔｉｏｎ」メッセージは、ステップＳ１−３でＵＥ１００から受信したメッセージの内容を含む。初期接続（Ｉｎｉｔｉａｌ  ａｃｃｅｓｓ）の場合、物理層（ＰＤＣＣＨ）において、「Ｃｏｎｔｅｎｔｉｏｎ  Ｒｅｓｏｌｕｔｉｏｎ」メッセージの送信には「Ｔｅｍｐｏｒａｒｙ  Ｃ−ＲＮＴＩ」が用いられる。ＵＥ１００にＣ−ＲＮＴＩが割り当てられている場合、物理層（ＰＤＣＣＨ）において、「Ｃｏｎｔｅｎｔｉｏｎ  Ｒｅｓｏｌｕｔｉｏｎ」メッセージの送信には「Ｃ−ＲＮＴＩ」が用いられる。ＵＥ１００は、「Ｃｏｎｔｅｎｔｉｏｎ  Ｒｅｓｏｌｕｔｉｏｎ」メッセージを受信する。
【００７５】
上りリンクの送信手順（ステップＳ２）について説明する。ステップＳ２は、ステップＳ２−１乃至Ｓ２−５からなる。
【００７６】
ステップＳ２−１において、ＵＥ１００は、ＰＵＳＣＨリソースの割り当てを要求するためのＳＲを、ＰＵＣＣＨ上でｅＮＢ２００に送信する。
【００７７】
ステップＳ２−２において、ｅＮＢ２００は、ＳＲの受信に応じて、ＵＥ１００にＰＵＳＣＨリソースを割り当てる。具体的には、ｅＮＢ２００は、上りリンクのスケジューリング情報（ＵＬ  ｇｒａｎｔ）を含むＤＣＩをＰＤＣＣＨ上でＵＥ１００に送信する。
【００７８】
ステップＳ２−３において、ＵＥ１００は、ｅＮＢ２００から割り当てられたＰＵＳＣＨリソースを用いて、ＵＥ１００の送信バッファ内の上りリンクデータの量を示すバッファ情報を含むＢＳＲをｅＮＢ２００に送信する。
【００７９】
ステップＳ２−４において、ｅＮＢ２００は、ＢＳＲの受信に応じて、適切な量のＰＵＳＣＨリソースをＵＥ１００に割り当てる。具体的には、ｅＮＢ２００は、上りリンクのスケジューリング情報（ＵＬ  ｇｒａｎｔ）を含むＤＣＩをＰＤＣＣＨ上でＵＥ１００に送信する。
【００８０】
ステップＳ２−５において、ＵＥ１００は、ｅＮＢ２００から割り当てられたＰＵＳＣＨリソースを用いて、ＵＥ１００の送信バッファ内の上りリンクデータをｅＮＢ２００に送信する。
【００８１】
（第１実施形態）
第１実施形態について説明する。第１実施形態は、ランダムアクセスプロジージャの少なくとも一部を省略したハンドオーバを実現することにより、ハンドオーバの際にランダムアクセスプロシージャに起因する通信中断時間を短縮可能とする。以下において、ランダムアクセスプロジージャを省略したハンドオーバを「ＲＡＣＨ−ｌｅｓｓ  ＨＯ」と称する。第１実施形態に係る「ＲＡＣＨ−ｌｅｓｓ  ＨＯ」は、図６のＳ１−１のＭｓｇ１（ＲＡ  Ｐｒｅａｍｂｌｅ）及びＳ１−２のＭｓｇ２（ＲＡ  Ｒｅｓｐｏｎｓｅ）を省略したハンドオーバである。
【００８２】
第１実施形態において、ソースセル及びターゲットセルが異なるｅＮＢ２００に属するケースを主として想定する。このようなハンドオーバは、インターｅＮＢハンドオーバと称されることがある。以下において、ソースセルが属するｅＮＢ２００を「ソースｅＮＢ（Ｓｏｕｒｃｅ  ｅＮＢ）２００−１」と称する。また、ターゲットセルが属するｅＮＢ２００を「ターゲットｅＮＢ（Ｔａｒｇｅｔ  ｅＮＢ）２００−２」と称する。
【００８３】
第１実施形態において、各セルの同期がとられているネットワークを主として想定する。このようなネットワークは、ｓｙｎｃｈｒｏｎｏｕｓ  ｎｅｔｗｏｒｋと称されることがある。
【００８４】
図７は、第１実施形態に係るハンドオーバシーケンスを示す図である。第１実施形態に係るハンドオーバシーケンスは、第２〜第６実施形態に係るハンドオーバシーケンスの基本となるシーケンスである。以降のシーケンス図において、破線で示すシグナリングはオプションであることを示す。
【００８５】
図７に示すように、ステップ１において、ＵＥ１００は、ハンドオーバよりも前において、ＲＡＣＨ−ｌｅｓｓ  ＨＯを行う能力を有することを示す能力情報（ＲＡＣＨ−ｌｅｓｓ  ＨＯ  ｓｕｐｐｏｒｔ）をソースｅＮＢ２００−１に送信する。能力情報は、例えばＲＲＣシグナリングであるＵＥ  Ｃａｐａｂｉｌｉｔｙに含められる。能力情報は、ＲＡＣＨ−ｌｅｓｓ  ＨＯを適用するか否かの判断に用いられる。ＵＥ１００は、能力情報に代えて、ＲＡＣＨ−ｌｅｓｓ  ＨＯの適用を希望することを示す通知を送信してもよい。当該通知（希望通知）は、ステップ２の測定報告と組み合わされてもよい。例えば、ＵＥ１００は、当該通知（希望通知）を、ソースセルとターゲットセルとの間の同期状態に基づいて送信してもよい。同期状態とは、Ｈ−ＳＦＮ（Ｈｙｐｅｒ−Ｓｙｓｔｅｍ  Ｆｒａｍｅ  Ｎｕｍｂｅｒ）、ＳＦＮ（Ｓｙｓｔｅｍ  Ｆｒａｍｅ  Ｎｕｍｂｅｒ）、サブフレーム番号の誤差測定等である。当該同期状態の閾値（例えばＳＦＮの許容最大誤差値）がｅＮＢ２００からＵＥ１００に事前に設定されていてもよい。ＵＥ１００は、ソースセルとターゲットセルとの間の同期状態（同期誤差）が閾値よりも小さいことに応じて、ＲＡＣＨ−ｌｅｓｓ  ＨＯの適用を希望することを示す通知を送信してもよい。
【００８６】
ステップ２において、ＵＥ１００は、測定報告（Ｍｅａｓｕｒｅｍｅｎｔ  Ｒｅｐｏｒｔ）をソースｅＮＢ２００−１に送信する。測定報告は、ソースセル及び／又はターゲットセルの測定結果を含む。測定報告は、ステップ３におけるハンドオーバ決定（Ｈａｎｄｏｖｅｒ  ｄｅｃｉｓｉｏｎ）に用いられる。
【００８７】
ステップ３〜６は、ハンドオーバの準備フェーズに相当する。ステップ３において、ソースｅＮＢ２００−１は、ＵＥ１００のハンドオーバを行うことを決定する。ソースｅＮＢ２００−１は、能力情報（又は希望通知）に基づいて、ＵＥ１００がＲＡＣＨ−ｌｅｓｓ  ＨＯをサポートしていることを確認する。
【００８８】
ステップ４において、ソースｅＮＢ２００−１は、ハンドオーバ要求メッセージ（ＨＯ  Ｒｅｑｕｅｓｔ）をターゲットｅＮＢ２００−２に送信する。ソースｅＮＢ２００−１は、ＵＥ１００がＲＡＣＨ−ｌｅｓｓ  ＨＯをサポート（又は希望）している場合、ＲＡＣＨ−ｌｅｓｓ  ＨＯをサポートしている旨（すなわち、ＲＡＣＨ−ｌｅｓｓ  ＨＯが可能であること）をターゲットｅＮＢ２００−１に通知する。具体的には、ソースｅＮＢ２００−１は、ＲＡＣＨ−ｌｅｓｓ  ＨＯを行う能力を有するＵＥ１００であることを示す能力情報（ＲＡＣＨ−ｌｅｓｓ  ＨＯ  ｓｕｐｐｏｒｔ  ＵＥ）を含むハンドオーバ要求メッセージをターゲットｅＮＢ２００−１に送信する。
【００８９】
ステップ５において、ターゲットｅＮＢ２００−２は、ハンドオーバ要求メッセージに基づいて、ハンドオーバの受け入れについて決定する。ＲＡＣＨ−ｌｅｓｓ  ＨＯを行う能力を有するＵＥ１００である場合、ターゲットｅＮＢ２００−２は、ＲＡＣＨ−ｌｅｓｓ  ＨＯの受け入れ可否を判断する。この判断において、ターゲットｅＮＢ２００−２は、過去の一定期間における自セル（ターゲットセル）へのハンドオーバの履歴情報を考慮してもよい。具体的には、ターゲットｅＮＢ２００−２は、ランダムアクセスプロジージャを省略しないハンドオーバ（すなわち、従来のハンドオーバシーケンス）において、ランダムアクセスプロシージャにより決定したタイミングアドバンス値を記録する。過去の一定期間（例えば、直近の１０分間等）におけるタイミングアドバンス値のバラツキがある一定範囲内に収まっている場合、ターゲットｅＮＢ２００−２は、ＲＡＣＨ−ｌｅｓｓ  ＨＯ可能と判断する。ここでは、ターゲットｅＮＢ２００−２がＲＡＣＨ−ｌｅｓｓ  ＨＯ可能と判断したと仮定して、説明を進める。
【００９０】
ステップ６において、ターゲットｅＮＢ２００−２は、ハンドオーバ承認メッセージ（ＨＯ  Ｒｅｑｕｅｓｔ  ＡＣＫ）をソースｅＮＢ２００−１に送信する。ターゲットｅＮＢ２００−２は、ＲＡＣＨ−ｌｅｓｓ  ＨＯ可能と判断した場合、ＲＡＣＨ−ｌｅｓｓ  ＨＯを行う旨の通知（ＲＡＣＨ−ｌｅｓｓ  ＨＯ  ｉｎｄｉｃａｔｉｏｎ）及び／又は上りリンクグラント（ＵＬ  ｇｒａｎｔ）をハンドオーバ承認メッセージに含める。例えば、ターゲットｅＮＢ２００−２は、ＲＡＣＨ−ｌｅｓｓ  ＨＯを行う旨の通知及び上りリンクグラントをＲＲＣコンテナ（ＲＲＣ  ｃｏｎｔａｉｎｅｒ）としてハンドオーバ承認メッセージに含める。ＲＲＣコンテナは、ソースｅＮＢ２００−１を介してＵＥ１００に通知されるものである。
【００９１】
ＲＡＣＨ−ｌｅｓｓ  ＨＯを行うことを示す明示的な通知（ＲＡＣＨ−ｌｅｓｓ  ＨＯ  ｉｎｄｉｃａｔｉｏｎ）を用いずに、ＲＡＣＨ−ｌｅｓｓ  ＨＯを行うことを示す暗示的な通知を用いてもよい。例えば、ＲＡＣＨ−ｌｅｓｓ  ＨＯを行うことを示す暗示的な通知として上りリンクグラントを用いてもよい。
【００９２】
上りリンクグラントは、ターゲットセルにおいてＵＥ１００に割り当てられる上りリンク無線リソースを示す。上りリンクグラントは、ターゲットｅＮＢ２００−２が上りリンク無線リソースを確保している期間の情報を含んでもよい。この場合、ターゲットｅＮＢ２００−２は、セミパーシステントスケジューリング（ＳＰＳ）に類似したスケジューリングを用いる。上りリンク無線リソースを確保している期間の情報（ＳＰＳ−ｌｉｋｅ  ｃｏｎｆｉｇ．）は、例えば、開始システムフレーム番号（ＳＦＮ）、開始サブフレーム番号、終了システムフレーム番号（ＳＦＮ）、終了サブフレーム番号、当該期間に対応するタイマ値のうち、少なくとも１つを含む。ターゲットｅＮＢ２００−２は、当該期間の間、上りリンク無線リソースをＵＥ１００に（連続的に）割り当てておく。
【００９３】
ターゲットｅＮＢ２００−２がＲＡＣＨ−ｌｅｓｓ  ＨＯ不可と判断した場合、上述したような情報をハンドオーバ承認メッセージに含めないことで、暗示的に従来のハンドオーバシーケンスを適用することをソースｅＮＢ２００−１に通知してもよい。
【００９４】
ステップ７において、ソースｅＮＢ２００−１は、ハンドオーバコマンド（Ｈａｎｄｏｖｅｒ  Ｃｏｍｍａｎｄ）をＵＥ１００に送信する。ハンドオーバコマンドは、ＲＡＣＨ−ｌｅｓｓ  ＨＯを示す通知（ＲＡＣＨ−ｌｅｓｓ  ＨＯ  ｉｎｄｉｃａｔｉｏｎ）及び上りリンクグラント（ＵＬ  ｇｒａｎｔ）を含む。
【００９５】
ステップ８において、ＵＥ１００は、ＲＡＣＨ−ｌｅｓｓ  ＨＯを示す通知に応じて、ターゲットｅＮＢ２００−２へのランダムアクセスプロジージャを省略する。ＵＥ１００は、上りリンクグラントにより示される上りリンク無線リソースを用いてターゲットｅＮＢ２００−２への上りリンク送信を行う。この上りリンク送信は、図６のＳ１−３のＭｓｇ３（Ｓｃｈｅｄｕｌｅｄ  Ｔｒａｎｓｍｉｓｓｉｏｎ）に相当する。
【００９６】
ステップ９において、ターゲットｅＮＢ２００−２は、上りリンク無線リソースを確保している期間内で上りリンク受信に成功した場合、ＡＣＫをＵＥ１００に送信する。ターゲットｅＮＢ２００−２は、ＡＣＫを送信したら、当該上りリンクリソースは（暗示的に）開放され、通常の割当シーケンスに戻ってもよい。ターゲットｅＮＢ２００−２は、上りリンク無線リソースを確保している期間内で上りリンク受信に成功しなかった場合、ＮＡＣＫをＵＥ１００に送信する。ターゲットｅＮＢ２００−２は、ＮＡＣＫを送信したら、当該上りリンクリソースは（暗示的に）開放され、通常の割当シーケンスに戻ってもよい。ＵＥ１００は、ＮＡＣＫを受信したら、一般的なランダムアクセスプロシージャを用いてターゲットｅＮＢ２００−２にランダムアクセスを開始してもよい。
【００９７】
ステップ１０において、ターゲットｅＮＢ２００−２は、ＵＥ１００のコンテキスト情報の解放を示す解放メッセージ（ＵＥ  Ｃｏｎｔｅｘｔ  Ｒｅｌｅａｓｅ）をソースｅＮＢ２００−１に送信する。
【００９８】
（第１実施形態の変更例）
上述した実施形態において、ｓｙｎｃｈｒｏｎｏｕｓ  ｎｅｔｗｏｒｋを主として想定していた。しかしながら、各セルが完全には同期していないネットワークに対してＲＡＣＨ−ｌｅｓｓ  ＨＯを適用してもよい。
【００９９】
隣接セル間でシステムフレーム番号やサブフレーム番号が一致していないケースにおいては、ソースセルは、リソース割り当ての際にターゲットセルとのサブフレーム番号差（ｎ’）をＵＥ１００に通知する。ＵＥ１００は、ｎ’を考慮してターゲットセルでのＭｓｇ３送信タイミングを決定する。或いは、ＵＥ１００は、ソースセルとターゲットセルのサブフレーム番号差（ｎ’）を同期信号検出によって予め検出する。ＵＥ１００は、ｎ’を考慮してターゲットセルでのＭｓｇ３送信タイミングを決定する。具体的には、従来はＭｓｇ２をサブフレームｎで受信した場合にＭｓｇ３をｎ＋ｋ１（ｋ１＞６）で送信する仕様になっていたのに対し、本変更例では、ｎ＋ｎ’＋ｋ１で送信する仕様とする。
【０１００】
ＵＥ１００がサブフレーム番号差（ｎ’）を算出する際の規範として、以下の１）〜４）の規範が挙げられる。
【０１０１】
１）ソースセルのサブフレームｎと、ソースセルのサブフレームｎの開始タイミングから±Ｘマイクロ秒以内に開始タイミングとなるターゲットセルのサブフレームｍとの間の差（ｍ−ｎ）。但し、当該範囲内にサブフレーム境界が存在しない場合は、ＲＡＣＨ−ｌｅｓｓ  ＨＯを行わないものとし、ＵＥ１００からネットワークにその旨を通知してもよい。
【０１０２】
２）ソースセルのサブフレームｎと、ソースセルのサブフレームｎの開始タイミングよりＸマイクロ秒前以降に初めて開始タイミングとなるサブフレームｍとの間の差（ｍ−ｎ）。
【０１０３】
３）ソースセルのサブフレームｎと、ソースセルのサブフレームｎの開始タイミング以降に初めて開始タイミングとなるサブフレームｍとの間の差（ｍ−ｎ）。
【０１０４】
４）ソースセルのサブフレームｎと、ソースセルのサブフレームｎの開始タイミングよりＸマイクロ秒後以降に初めて開始タイミングとなるサブフレームｍとの間の差（ｍ−ｎ）。
【０１０５】
ＵＥ１００は、ソースセルとターゲットセルとの間でＤＬタイミングの同期が取られていない場合、ターゲットセルのＤＬタイミング（ＳＦＮ、サブフレーム番号等）に同期した上で、ＵＬ送信（ステップ８）を実施するとしてもよい。
【０１０６】
ＲＡＣＨ−ｌｅｓｓ  ＨＯの適用条件として、ｓｙｎｃｈｒｏｎｏｕｓ  ｎｅｔｗｏｒｋであることは必須ではなく、ＤＬタイミングがある一定の範囲内であるといった条件や、ＵＬタイミング（ＤＬタイミングに対するタイミングアドバンス）が誤差内であるという条件等であってもよい。
【０１０７】
（第２実施形態）
第２実施形態について、第１実施形態との相違点を主として説明する。
【０１０８】
図８は、第２実施形態に係るハンドオーバシーケンスを示す図である。
【０１０９】
図８に示すように、ステップ１〜３は、第１実施形態に係るハンドオーバシーケンスと同様である。
【０１１０】
ステップ４において、ソースｅＮＢ２００−１は、ＵＥ１００の移動速度を示す速度情報（ＵＥ  ｓｐｅｅｄ  ｉｎｆｏｒｍａｔｉｏｎ）をターゲットｅＮＢ２００−２に通知する。具体的には、ソースｅＮＢ２００−１は、速度情報を含むハンドオーバ要求メッセージ（Ｈａｎｄｏｖｅｒ  Ｒｅｑｕｅｓｔ）をターゲットｅＮＢ２００−２に送信する。速度情報は必須ではなく、ソースｅＮＢ２００−１は、速度情報を含まないハンドオーバ要求メッセージをターゲットｅＮＢ２００−２に送信してもよい。
【０１１１】
ステップ５において、ターゲットｅＮＢ２００−２は、ハンドオーバの受け入れ判断（Ａｄｍｉｓｓｉｏｎ  Ｃｏｎｔｒｏｌ）を行う。ターゲットｅＮＢ２００−２は、ＲＡＣＨ−ｌｅｓｓ  ＨＯを受け入れる場合、タイミングアドバンス値（ＴＡ）を決定する。
【０１１２】
タイミングアドバンス値の決定において、ターゲットｅＮＢ２００−２は、過去の一定期間における自セル（ターゲットセル）へのハンドオーバの履歴情報を用いる。具体的には、ターゲットｅＮＢ２００−２は、ランダムアクセスプロジージャを省略しないハンドオーバ（すなわち、従来のハンドオーバシーケンス）において、ランダムアクセスプロシージャにより決定したタイミングアドバンス値を記録する。そして、ターゲットｅＮＢ２００−２は、ソースｅＮＢ２００−１からハンドオーバしてきたＵＥに設定したタイミングアドバンス値の平均をＵＥ１００に設定するタイミングアドバンス値として決定する。平均値に代えて、最大値、最小値等を用いてもよい。
【０１１３】
タイミングアドバンス値の決定において、ターゲットｅＮＢ２００−２は、ＵＥ１００の速度情報を考慮してもよい。例えば、ターゲットｅＮＢ２００−２は、移動速度毎に、過去のタイミングアドバンス値の履歴を別々に管理（保存）し、今回のＵＥ１００の移動速度に対応する履歴を参照して、ＵＥ１００に設定するタイミングアドバンス値を決定する。ターゲットｅＮＢ２００−２は、ＵＥ１００の移動速度がある一定値を超えていた場合は、ＲＡＣＨ−ｌｅｓｓ  ＨＯではなく、従来のハンドオーバシーケンスを用いると判断してもよい。
【０１１４】
ステップ６において、ターゲットｅＮＢ２００−２は、決定したタイミングアドバンス値をハンドオーバ承認メッセージによりソースｅＮＢ２００−１に通知する。例えば、ターゲットｅＮＢ２００−２は、タイミングアドバンス値をＲＲＣコンテナに含める。
【０１１５】
ステップ７において、ソースｅＮＢ２００−１は、ターゲットセルへの上りリンク送信に適用すべきタイミングアドバンス値を含むハンドオーバコマンド（Ｈａｎｄｏｖｅｒ  Ｃｏｍｍａｎｄ）をＵＥ１００に送信する。
【０１１６】
ステップ７−２において、ＵＥ１００は、タイミングアドバンス値を適用して、ターゲットｅＮＢ２００−２への上りリンク送信タイミングを調整する。ＵＥ１００は、ターゲットｅＮＢ２００−２のＤＬタイミングを基準にタイミングアドバンス値を適用する。
【０１１７】
ステップ８〜１０は、第１実施形態に係るハンドオーバシーケンスと同様である。
【０１１８】
（第２実施形態の変更例１）
第２実施形態において、既にＵＥ１００が複数のタイミングアドバンスグループ（ＴＡＧ）を有している場合、ハンドオーバコマンドにおいて、タイミングアドバンス値そのものではなく、ＴＡＧのＩＤ（タイミングアドバンスグループ識別子）を指定してもよい。例えば、ハンドオーバ前にＵＥ１００がキャリアアグリゲーション（ＣＡ）又は二重接続（ＤＣ：Ｄｕａｌ  Ｃｏｎｎｅｃｔｉｖｉｔｙ）を行っており、かつ、イントラｅＮＢハンドオーバを行う場合などに有効である。ＣＡ及びＤＣのケースについては、第４〜第５実施形態で説明する。
【０１１９】
ハンドオーバコマンドにタイミングアドバンスグループ識別子が含まれる場合、ＵＥ１００は、タイミングアドバンスグループ識別子に対応するタイミングアドバンス値を用いて、ターゲットセル（ターゲットｅＮＢ２００−２）への上りリンク送信タイミングを調整する。
【０１２０】
（第２実施形態の変更例２）
第２実施形態において、ＵＥ１００の速度情報（以下、「ＵＥ速度情報」と称する）をソースｅＮＢ２００−１がＵＥ１００から取得してもよい。ソースｅＮＢ２００−１は、ＵＥ速度情報だけでなく、他の補助情報もＵＥ１００から取得可能としてもよい。
【０１２１】
本変更例において、ステップ２の測定報告を以下のように改良する。
【０１２２】
第１の方法は、Ｉｍｍｅｄｉａｔｅ  ＭＤＴ（Ｍｉｎｉｍｉｚａｔｉｏｎ  ｏｆ  Ｄｒｉｖｅ  Ｔｅｓｔ）の仕組みにＵＥ速度情報を適用する方法である。Ｉｍｍｅｄｉａｔｅ  ＭＤＴは、ＵＥ１００がｅＮＢ２００からの設定に応じて測定報告にＵＥ位置情報を含めるものである。第１の方法において、ｅＮＢ２００は、ＵＥ速度情報を測定報告に含めるようＵＥ１００に設定する。ＵＥ１００は、ｅＮＢ２００からの設定に応じて測定報告にＵＥ速度情報を含める。第１の方法において、測定報告はイベントトリガ型であり、トリガイベントは既存のものを用いる。ＵＥ速度情報は、直値（例えば、ｘ  ｋｍ／ｈ）であってもよいし、インデックス値（例えば、Ｈｉｇｈ，  ｌｏｗ，  ｍｉｄ）であってもよい。
【０１２３】
第２の方法は、測定報告をトリガしたセルの電波到来方向（ＡｏＡ：Ａｎｇｌｅ  ｏｆ  Ａｒｒｉｖａｌ）とＵＥ速度情報とを測定報告に含める方法である。ＡｏＡは、角度（［°］）であってもよいし、ＰＭＩのようなプリコーダウェイト（又は規定マトリクスのインデックス）形式であってもよい。ｅＮＢ２００は、ＡｏＡ／ＵＥ速度情報の対象とするセルの識別子のリストをＵＥ１００に通知する。例えば、測定設定情報（Ｍｅａｓｕｒｅｍｅｎｔ  ｃｏｎｆｉｇｕｒａｔｉｏｎ）に当該リストを含める。ＵＥ１００は、測定設定情報で指定された場合に限り、ＡｏＡ及び／又はＵＥ速度情報を測定報告に含めるとしてもよい。ＵＥ１００は、Ａ３トリガがかかったセルの識別子が上記のリストに含まれていた場合、セル測定結果（Ｍｅａｓｕｒｅｍｅｎｔ  ｒｅｓｕｌｔ）と共にＡｏＡ及びＵＥ１００の速度情報をｅＮＢ２００に送信する。
【０１２４】
（第３実施形態）
第３実施形態について、第１及び第２実施形態との相違点を主として説明する。
【０１２５】
図９は、第３実施形態に係るハンドオーバシーケンスを示す図である。
【０１２６】
図９に示すように、ステップ１〜３は、第１実施形態に係るハンドオーバシーケンスと同様である。
【０１２７】
図９に示すように、ステップ４において、ソースｅＮＢ２００−１は、ＵＥ１００の上りリンクバッファに蓄積されたデータ量を示すバッファ状態情報を含むハンドオーバ要求メッセージをターゲットｅＮＢ２００−２に送信する。ソースｅＮＢ２００−１は、予めＵＥ１００からＢＳＲ（Ｂｕｆｆｅｒ  Ｓｔａｔｕｓ  Ｒｅｐｏｒｔ）を受信しており、ＵＥ１００から受信した最新のＢＳＲをそのままバッファ状態情報としてターゲットｅＮＢ２００−２に送信してもよい。ＵＥ１００が送信するＢＳＲは、ＬＣＧごとのデータ量の情報を含む。ソースｅＮＢ２００−１は、ＵＥ１００から受信したＢＳＲの合計（全ＬＣＧのＢＳＲ）又はＢＳＲの一部（一部のＬＣＧのＢＳＲ）をバッファ状態情報としてターゲットｅＮＢ２００−２に送信してもよい。ソースｅＮＢ２００−１がサイドリンク用のＢＳＲ（ＳＬ  ＢＳＲ）をＵＥ１００から受信している場合、ソースｅＮＢ２００−１は、ＳＬ  ＢＳＲをバッファ状態情報としてターゲットｅＮＢ２００−２に送信してもよい。ソースｅＮＢ２００−１は、過去のＢＳＲ履歴等から、ＵＥ１００のトラフィック発生を予測して、その予測ＢＳＲをターゲットｅＮＢ２００−２に通知してもよい。ソースｅＮＢ２００−１は、上りリンクグラント量（上りリンク割当リソース量）をターゲットｅＮＢ２００−２に通知してもよい。例えば、ソースｅＮＢ２００−１は、自身が推奨する割当リソース量を通知してもよい。例えば、ソースｅＮＢ２００−１は、ターゲットセルが初送割当に必要となるリソース量を通知してもよい。
【０１２８】
ステップ５において、ターゲットｅＮＢ２００−２は、ハンドオーバの受け入れ判断（Ａｄｍｉｓｓｉｏｎ  Ｃｏｎｔｒｏｌ）を行う。ターゲットｅＮＢ２００−２は、ＲＡＣＨ−ｌｅｓｓ  ＨＯを受け入れる場合、ソースｅＮＢ２００−１から受信したバッファ状態情報に基づいて、ターゲットセルにおいてＵＥ１００に割り当てられる無線リソースを決定する。ターゲットｅＮＢ２００−２は、上りリンクグラントで割り当てる無線リソースの量を決定してもよい。ターゲットｅＮＢ２００−２は、ＵＥ１００に設定するセカンダリセル（ＳＣｅｌｌ）の数を決定してもよい。セカンダリセルの設定については第４実施形態で説明する。
【０１２９】
ステップ６〜１０は、第１実施形態に係るハンドオーバシーケンスと同様である。
【０１３０】
第３実施形態によれば、ターゲットｅＮＢ２００−２は、ＵＥ１００に割り当てる無線リソースをバッファ状態情報に基づいて適切に決定することができる。
【０１３１】
（第４実施形態）
第４実施形態について、第１〜第３実施形態との相違点を主として説明する。
【０１３２】
第４実施形態は、キャリアアグリゲーション（ＣＡ）を想定した実施形態である。ＣＡにおいて、ＵＥ１００には、１つのｅＮＢ２００から複数のセルが設定される。複数のセルは、１つのプライマリセル（ＰＣｅｌｌ）及び少なくとも１つのセカンダリセル（ＳＣｅｌｌ）からなる。
【０１３３】
図１０は、第４実施形態に係るハンドオーバシーケンスを示す図である。
【０１３４】
図１０に示すように、ステップ１〜４は、第１実施形態に係るハンドオーバシーケンスと同様である。
【０１３５】
ステップ５において、ターゲットｅＮＢ２００−２は、ハンドオーバの受け入れ判断（Ａｄｍｉｓｓｉｏｎ  Ｃｏｎｔｒｏｌ）を行う。ターゲットｅＮＢ２００−２は、自身のセルの中からＵＥ１００に設定するセカンダリセルを決定する。具体的には、ターゲットセルがプライマリセル（ＰＣｅｌｌ）に相当し、ターゲットｅＮＢ２００−２は、ターゲットセル（プライマリセル）に対して追加するセカンダリセル（ＳＣｅｌｌ）を決定する。ターゲットｅＮＢ２００−２は、設定するセカンダリセルのうちアクティブ化するセカンダリセルを決定する。ターゲットｅＮＢ２００−２は、第３実施形態に係るバッファ状態情報（ＢＳＲ）等から、これらの決定を行ってもよい。ターゲットｅＮＢ２００−２は、現在のソースｅＮＢ２００−１の設定を参考にして、これらの決定を行ってもよい。
【０１３６】
ステップ６において、ターゲットｅＮＢ２００−２は、セカンダリセルの設定情報とセカンダリセルをアクティブ化するアクティブ化指示（ＳＣｅｌｌ  Ａｃｔｉｖａｔｉｏｎ  Ｉｎｄｉｃａｔｉｏｎ）とを含むハンドオーバ承認メッセージ（Ｈａｎｄｏｖｅｒ  Ｒｅｑｕｅｓｔ  ＡＣＫ）をソースｅＮＢ２００−１に送信する。
【０１３７】
アクティブ化指示は、設定するセカンダリセルを個別にアクティブ化する指示であってもよい。アクティブ指示は、設定する全セカンダリセルを一括してアクティブ化する指示であってもよい。個別にアクティブ化する場合、各セカンダリセルの設定情報に紐付いてアクティブ化指示が含まれていてもよい。セカンダリセルの設定情報及びアクティブ化指示は、ＲＲＣコンテナに含まれてもよい。
【０１３８】
ステップ７において、ソースｅＮＢ２００−１は、セカンダリセルの設定情報とセカンダリセルをアクティブ化するアクティブ化指示（ＳＣｅｌｌ  Ａｃｔｉｖａｔｉｏｎ  Ｉｎｄｉｃａｔｉｏｎ）とを含むハンドオーバコマンド（Ｈａｎｄｏｖｅｒ  Ｃｏｍｍａｎｄ）をＵＥ１００に送信する。
【０１３９】
ステップ７−２において、ＵＥ１００は、セカンダリセルの設定情報に応じてセカンダリセルを設定し、かつ、アクティブ化指示に応じて、設定したセカンダリセルをアクティブ化する。すなわち、ＵＥ１００は、アクティブ化指示が指定するセカンダリセルについては、設定（ＲＲＣ  Ｃｏｎｎｅｃｔｉｏｎ  Ｒｅｃｏｎｆｉｇｕｒａｔｉｏｎ）と同時にアクティブ化されたと認識する。
【０１４０】
ステップ８〜１０は、第１実施形態に係るハンドオーバシーケンスと同様である。
【０１４１】
なお、従来のハンドオーバシーケンスにおいては、ハンドオーバ後に、ターゲットｅＮＢ２００−２がセカンダリセルをアクティブ化することに留意すべきである。具体的には、従来のハンドオーバシーケンスにおいて、ターゲットｅＮＢ２００−２は、ＭＡＣ層のシグナリングによりアクティブ化指示をＵＥ１００に送信する。
【０１４２】
これに対し、第４実施形態は、ＵＥ１００は、ソースｅＮＢ２００−１からのハンドオーバコマンドに応じてセカンダリセルをアクティブ化する。よって、第４実施形態によれば、従来のハンドオーバシーケンスに比べてセカンダリセルを迅速にアクティブ化することができる。
【０１４３】
（第５実施形態）
第５実施形態について、第１〜第４実施形態との相違点を主として説明する。
【０１４４】
第５実施形態は、二重接続（ＤＣ）を想定した実施形態である。二重接続において、ＵＥ１００には、マスタセルグループ（ＭＣＧ）及びセカンダリセルグループ（ＳＣＧ）が設定される通信モードである。マスタセルグループは、マスタｅＮＢ（ＭｅＮＢ）により管理されるサービングセル群である。セカンダリセルグループは、セカンダリｅＮＢ（ＳｅＮＢ）により管理されるサービングセル群である。
【０１４５】
二重接続において、ＵＥ１００にダブルＢＳＲが設定されていてもよい。図１１は、ダブルＢＳＲを示す図である。図１１に示すように、ＰＤＣＰバッファに蓄積されたデータ量（ＰＤＣＰデータ量Ａ）が閾値を上回っている場合、ＵＥ１００は、ＭｅＮＢ（ＭＣＧ）及びＳｅＮＢ（ＳＣＧ）の両方にＢＳＲを送信する。閾値は、例えばＭｅＮＢがＵＥ１００に送信するＲＲＣシグナリングにより、ベアラごとに設定される。ＰＤＣＰバッファに蓄積されたデータ量（ＰＤＣＰデータ量Ａ）が閾値を上回っている場合、ＵＥ１００は、ＭｅＮＢ（ＭＣＧ）及びＳｅＮＢ（ＳＣＧ）の両方にデータを送信してもよい。ＵＥ１００がＭｅＮＢに送信するＢＳＲは、ＰＤＣＰバッファに蓄積されたデータ量（ＰＤＣＰデータ量Ａ）及びＭＣＧ向けバッファに蓄積されたデータ量（データ量Ｂ）の合計（Ａ＋Ｂ）を示す。これに対し、ＵＥ１００がＳｅＮＢに送信するＢＳＲは、ＰＤＣＰバッファに蓄積されたデータ量（ＰＤＣＰデータ量Ａ）及びＳＣＧ向けバッファに蓄積されたデータ量（データ量Ｃ）の合計（Ａ＋Ｃ）を示す。ＰＤＣＰバッファに蓄積されたデータ量（ＰＤＣＰデータ量Ａ）が閾値を下回っている場合、ＵＥ１００は、ＭｅＮＢ及びＳｅＮＢのうち指定された一方のｅＮＢのみにＢＳＲを送信する。当該一方のｅＮＢは、例えばＭｅＮＢがＵＥ１００に送信するＲＲＣシグナリングにより設定される。ＰＤＣＰバッファに蓄積されたデータ量（ＰＤＣＰデータ量Ａ）が閾値を下回っている場合、ＵＥ１００は、ＭｅＮＢ及びＳｅＮＢのうち指定された一方のｅＮＢのみにスプリットベアラのデータを送信する。ＭｅＮＢは、ＵＥ１００からＢＳＲ（Ａ＋Ｂ）を受信し、受信したＢＳＲに基づいてＵＥ１００に上りリンク無線リソースを割り当てる。具体的には、ＭｅＮＢは、ＢＳＲに基づいて、データ量Ａ＋Ｂに応じた量のＰＵＳＣＨリソースをＵＥ１００に割り当てる。ＭｅＮＢは、割り当て無線リソースを示すリソース割り当て情報（ＵＬ  ｇｒａｎｔ）をＵＥ１００に送信する。ＵＥ１００は、割り当て無線リソースを用いてデータをＭｅＮＢに送信する。ＳｅＮＢは、ＵＥ１００からＢＳＲ（Ａ＋Ｃ）を受信し、受信したＢＳＲに基づいてＵＥ１００に上りリンク無線リソースを割り当てる。具体的には、ＳｅＮＢは、ＢＳＲに基づいて、データ量Ａ＋Ｃに応じた量のＰＵＳＣＨリソースをＵＥ１００に割り当てる。ＳｅＮＢは、割り当て無線リソースを示すリソース割り当て情報（ＵＬ  ｇｒａｎｔ）をＵＥ１００に送信する。ＵＥ１００は、割り当て無線リソースを用いてデータをＳｅＮＢに送信する。
【０１４６】
図１２は、第５実施形態に係るハンドオーバシーケンスを示す図である。第５実施形態に係るハンドオーバシーケンスは、セカンダリｅＮＢを変更せずにマスタｅＮＢ間ハンドオーバ（インターマスタｅＮＢハンドオーバ）を行う。
【０１４７】
図１２に示すように、ステップ０において、ＵＥ１００は、ソースｅＮＢ（ソースマスタｅＮＢ）２００−１及びセカンダリｅＮＢ２００−３との二重接続を有しており、二重接続通信を行う。
【０１４８】
ステップ１〜４は、第１実施形態に係るハンドオーバシーケンスと同様である。ステップ４において、ソースｅＮＢ（ソースマスタｅＮＢ）２００−１は、ダブルＢＳＲがトリガされている場合（すなわち、ＵＥ１００がソースｅＮＢ２００−１及びセカンダリｅＮＢ２００−３の両方にＢＳＲを送信している場合）には、その旨の通知（Ｄｏｕｂｌｅ  ＢＳＲ  Ｉｎｄｉｃａｔｉｏｎ）をハンドオーバ要求メッセージに含めてもよい。ダブルＢＳＲがトリガされている旨の通知に代えて、ダブルＢＳＲの閾値及びＢＳＲ値をハンドオーバ要求メッセージに含めてもよい。
【０１４９】
ステップ５において、ターゲットｅＮＢ（ターゲットマスタｅＮＢ）２００−２は、ハンドオーバの受け入れ判断（Ａｄｍｉｓｓｉｏｎ  Ｃｏｎｔｒｏｌ）を行う。
【０１５０】
ステップ５ａにおいて、ターゲットｅＮＢ２００−２は、ＳｅＮＢ追加要求メッセージ（ＳｅＮＢ  Ａｄｄｉｔｉｏｎ  Ｒｅｑｕｅｓｔ）をセカンダリｅＮＢ２００−３に送信する。ＳｅＮＢ追加要求メッセージは、ＲＡＣＨ−ｌｅｓｓ  ＨＯの可能性を示す通知（ＲＡＣＨ−ｌｅｓｓ  ＨＯ  ｓｕｐｐｏｒｔ  ＵＥ）、及びソースｅＮＢ２００−１から通知されたＢＳＲのうち、少なくとも１つを含んでもよい。ダブルＢＳＲがトリガされている場合のみＢＳＲをＳｅＮＢ追加要求メッセージに含めるとしてもよい。ＢＳＲに代えて、どの程度の量の上りリンク無線リソースが最低限かを示す通知をＳｅＮＢ追加要求メッセージに含めてもよい。
【０１５１】
ステップ５ｂにおいて、セカンダリｅＮＢ２００−３は、ＳｅＮＢ追加承認メッセージ（ＳｅＮＢ  Ａｄｄｉｔｉｏｎ  Ｒｅｑｕｅｓｔ  Ａｃｋ）をターゲットｅＮＢ２００−２に送信する。ＳｅＮＢ追加承認メッセージは、セカンダリｅＮＢ２００−３についてのＲＡＣＨ−ｌｅｓｓ  ＨＯ実行通知（ＲＡＣＨ−ｌｅｓｓ  ＨＯ  Ｉｎｄｉｃａｔｉｏｎ）、セカンダリｅＮＢ２００−３がＵＥ１００に割り当てる上りリンク無線リソースを示す上りリンクグラント（ＵＬ  ｇｒａｎｔ）、セカンダリセルグループ（ＳＣＧ）に適用すべきタイミングアドバンス値（ＴＡ）、ＳＣＧのセルのアクティブ化指示（ＳＣｅｌｌ  Ａｃｔｉｖａｔｉｏｎ  Ｉｎｄｉｃａｔｉｏｎ）のうち少なくとも１つを含む。これらの情報は、ＲＡＣＨ−ｌｅｓｓ  ＨＯを実施する場合にのみＳｅＮＢ追加承認メッセージに含まれるとしてもよい。これらの情報は、セカンダリｅＮＢ２００−１のセルへのランダムアクセスプロシージャを省略するためのセカンダリ基地局情報に相当する。第１実施形態と同様に、上りリンクグラントは、セカンダリｅＮＢ２００−３が上りリンク無線リソースを確保している期間の情報を含んでもよい。
【０１５２】
ステップ６において、ターゲットｅＮＢ２００−２は、自身が設定した情報（ＭＣＧ情報）とセカンダリ基地局情報（ＳＣＧ情報）とを含むハンドオーバ承認メッセージ（Ｈａｎｄｏｖｅｒ  Ｒｅｑｕｅｓｔ  ＡＣＫ）をソースｅＮＢ２００−１に送信する。ＭＣＧ情報及びＳＣＧ情報は、ＲＲＣコンテナに含まれてもよい。ＭＣＧ情報は、ＭＣＧに適用すべきタイミングアドバンス値（ＴＡ）、ＭＣＧのセルのアクティブ化指示（ＳＣｅｌｌ  Ａｃｔｉｖａｔｉｏｎ  Ｉｎｄｉｃａｔｉｏｎ）のうち少なくとも１つを含む。
【０１５３】
ステップ６ａにおいて、ソースｅＮＢ２００−１は、ＳｅＮＢ解放要求メッセージ（ＳｅＮＢ  Ｒｅｌｅａｓｅ  Ｒｅｑｕｅｓｔ）をセカンダリｅＮＢ２００−３に送信する。
【０１５４】
ステップ７において、ソースｅＮＢ２００−１は、ＭＣＧ情報及びＳＣＧ情報を含むハンドオーバコマンド（Ｈａｎｄｏｖｅｒ  Ｃｏｍｍａｎｄ）をＵＥ１００に送信する。
【０１５５】
ステップ７ａにおいて、ＵＥ１００は、ＭＣＧ情報及びＳＣＧ情報のそれぞれを設定・適用する。
【０１５６】
ステップ８ａ及び９ａは、第１実施形態に係るハンドオーバシーケンスと同様である。ＵＥ１００は、ターゲットｅＮＢ２００−２へのランダムアクセスプロジージャを省略するとともに、ターゲットｅＮＢ２００−２への上りリンク送信を行う。
【０１５７】
ステップ８ｂにおいて、ＵＥ１００は、セカンダリｅＮＢ２００−３へのランダムアクセスプロジージャを省略するとともに、セカンダリｅＮＢ２００−３への上りリンク送信を行う。
【０１５８】
ステップ９ｂにおいて、セカンダリｅＮＢ２００−３は、上りリンク無線リソースを確保している期間内で上りリンク受信に成功した場合、ＡＣＫをＵＥ１００に送信する。セカンダリｅＮＢ２００−３は、ＡＣＫを送信したら、当該上りリンクリソースは（暗示的に）開放され、通常の割当シーケンスに戻ってもよい。セカンダリｅＮＢ２００−３は、上りリンク無線リソースを確保している期間内で上りリンク受信に成功しなかった場合、ＮＡＣＫをＵＥ１００に送信する。セカンダリｅＮＢ２００−３は、ＮＡＣＫを送信したら、当該上りリンクリソースは（暗示的に）開放され、通常の割当シーケンスに戻ってもよい。ＵＥ１００は、ＮＡＣＫを受信したら、一般的なランダムアクセスプロシージャを用いてセカンダリｅＮＢ２００−３にランダムアクセスを開始してもよい。
【０１５９】
ステップ１０ａにおいて、ターゲットｅＮＢ２００−２は、ＳｅＮＢ再設定完了メッセージ（ＳｅＮＢ  Ｒｅｃｏｎｆｉｇｕｒａｔｉｏｎ  Ｃｏｍｐｌｅｔｅ）をセカンダリｅＮＢ２００−３に送信する。
【０１６０】
ステップ１０ｂにおいて、ターゲットｅＮＢ２００−２は、ＵＥ１００のコンテキスト情報の解放を示す解放メッセージ（ＵＥ  Ｃｏｎｔｅｘｔ  Ｒｅｌｅａｓｅ）をソースｅＮＢ２００−１に送信する。
【０１６１】
ステップ１０ｃにおいて、ソースｅＮＢ２００−１は、ＵＥ１００のコンテキスト情報の解放を示す解放メッセージ（ＵＥ  Ｃｏｎｔｅｘｔ  Ｒｅｌｅａｓｅ）をセカンダリｅＮＢ２００−３に送信する。
【０１６２】
第５実施形態によれば、セカンダリｅＮＢを変更しないインターマスタｅＮＢハンドオーバにおいて、ＵＥ１００は、ターゲットｅＮＢ（ターゲットマスタｅＮＢ）２００−２へのランダムアクセスプロシージャを省略するだけでなく、セカンダリｅＮＢ２００−３へのランダムアクセスプロシージャも省略することができる。よって、セカンダリｅＮＢを変更しないインターマスタｅＮＢハンドオーバの際のセカンダリｅＮＢ２００−３との通信中断時間を短縮可能とすることができる。
【０１６３】
（第６実施形態）
第６実施形態について、第１〜第５実施形態との相違点を主として説明する。
【０１６４】
第６実施形態に係るＵＥ１００は、ハンドオーバよりも前において、ターゲットｅＮＢ２００−２への事前ランダムアクセスプロシージャを行う。第６実施形態において、事前ランダムアクセスプロシージャを行うために、一時的にＤＣを行う状態にする。このＤＣ状態において、ＵＥ１００は、事前ランダムアクセスプロシージャによりタイミングアドバンス値（ＴＡ）を取得する。ＵＥ１００は、タイミングアドバンス値をタイミングアドバンスグループ識別子（ＴＡＧ  ＩＤ）と対応付けて記憶する。ＵＥ１００は、実際にハンドオーバを行う際に、記憶しているタイミングアドバンス値を用いてターゲットｅＮＢ２００−２への送信タイミングを調整する。
【０１６５】
図１３は、第６実施形態に係るハンドオーバシーケンスを示す図である。
【０１６６】
図１３に示すように、ステップＡにおいて、ＵＥ１００は、測定報告（Ｍｅａｓｕｒｅｍｅｎｔ  Ｒｅｐｏｒｔ）をソースｅＮＢ２００−１に送信する。測定報告は、ステップＢにおける事前ハンドオーバ決定（Ｐｒｅ−ｈａｎｄｏｖｅｒ  ｄｅｃｉｓｉｏｎ）に用いられる。
【０１６７】
ステップＢにおいて、ソースｅＮＢ２００−１は、ターゲットｅＮＢ２００−２への事前ハンドオーバ（事前ランダムアクセスプロシージャ）を決定する。
【０１６８】
ステップＣにおいて、ソースｅＮＢ２００−１は、ＳｅＮＢ追加要求メッセージ（ＳｅＮＢ  Ａｄｄｉｔｉｏｎ  Ｒｅｑｕｅｓｔ）をターゲットｅＮＢ２００−２に送信する。ＳｅＮＢ追加要求メッセージは、事前ハンドオーバ（事前ランダムアクセスプロシージャ）を示す通知（Ｐｒｅ−ｈａｎｄｏｖｅｒ  ｉｎｄｉｃａｔｉｏｎ）を含んでもよい。
【０１６９】
ステップＤにおいて、ターゲットｅＮＢ２００−２は、ＳｅＮＢ追加承認メッセージ（ＳｅＮＢ  Ａｄｄｉｔｉｏｎ  Ｒｅｑｕｅｓｔ  Ａｃｋ）をソースｅＮＢ２００−１に送信する。
【０１７０】
ステップＥにおいて、ソースｅＮＢ２００−１は、ターゲットｅＮＢ２００−２への事前ハンドオーバ（事前ランダムアクセスプロシージャ）を指示する指示情報（ＲＲＣ  Ｃｏｎｎｅｃｔｉｏｎ  Ｒｅｃｏｎｆ．）をＵＥ１００に送信する。
【０１７１】
ステップＦにおいて、ＵＥ１００は、指示情報に対する完了通知（ＲＲＣ  Ｃｏｎｎｅｃｔｉｏｎ  Ｒｅｃｏｎｆ．  Ｃｏｍｐ．）をソースｅＮＢ２００−１に送信する。
【０１７２】
ステップＧにおいて、ソースｅＮＢ２００−１は、ＳｅＮＢ再設定完了メッセージ（ＳｅＮＢ  Ｒｅｃｏｎｆｉｇｕｒａｔｉｏｎ  Ｃｏｍｐ．）をターゲットｅＮＢ２００−２に送信する。
【０１７３】
ステップＨにおいて、ＵＥ１００は、ステップＥでの指示情報に応じて、ターゲットｅＮＢ２００−２に対する事前ランダムアクセスプロシージャを行う。事前ランダムアクセスプロシージャにおいて、ＵＥ１００は、タイミングアドバンス値（ＴＡ）を取得する。ＵＥ１００は、タイミングアドバンス値をタイミングアドバンスグループ識別子（ＴＡＧ  ＩＤ）と対応付けて記憶する。
【０１７４】
ステップＩ及びＪにおいて、ソースｅＮＢ２００−１は、ターゲットｅＮＢ２００−２への事前データフォワーディングを行う。
【０１７５】
ステップＫにおいて、ＵＥ１００は、測定報告（Ｍｅａｓｕｒｅｍｅｎｔ  Ｒｅｐｏｒｔ）をソースｅＮＢ２００−１に送信する。測定報告は、ステップＬにおけるハンドオーバ決定（Ｈａｎｄｏｖｅｒ  ｄｅｃｉｓｉｏｎ）に用いられる。
【０１７６】
ステップＬにおいて、ソースｅＮＢ２００−１は、ターゲットｅＮＢ２００−２へのハンドオーバを決定する。
【０１７７】
ステップＭにおいて、ソースｅＮＢ２００−１は、ハンドオーバ要求メッセージ（ＨＯ  Ｒｅｑｕｅｓｔ）をターゲットｅＮＢ２００−２に送信する。ソースｅＮＢ２００−１は、ステップＣのＳｅＮＢ追加要求メッセージと同一のＵＥ  Ｘ２ＡＰ  ＩＤをハンドオーバ要求メッセージに適用してもよい。
【０１７８】
ステップＮにおいて、ターゲットｅＮＢ２００−２は、ハンドオーバ受け入れ判断（Ａｄｍｉｓｓｉｏｎ  Ｃｏｎｔｒｏｌ）を行う。
【０１７９】
ステップＯにおいて、ターゲットｅＮＢ２００−２は、ハンドオーバ承認メッセージ（ＨＯ  Ｒｅｑｕｅｓｔ  ＡＣＫ）をソースｅＮＢ２００−１に送信する。ターゲットｅＮＢ２００−２は、事前ハンドオーバ（事前ランダムアクセスプロシージャ）により取得されたＴＡＧ  ＩＤをハンドオーバ承認メッセージに含める。ＴＡＧ  ＩＤは、ＲＲＣコンテナに含まれてもよい。
【０１８０】
ステップＰにおいて、ソースｅＮＢ２００−１は、ＴＡＧ  ＩＤを含むハンドオーバコマンド（Ｈａｎｄｏｖｅｒ  Ｃｏｍｍａｎｄ）をＵＥ１００に送信する。
【０１８１】
ステップＱにおいて、ＵＥ１００は、ターゲットｅＮＢ２００−２へのランダムアクセスプロジージャを省略するとともに、ＴＡＧ  ＩＤに対応するタイミングアドバンス値を適用してターゲットｅＮＢ２００−２への上りリンク送信を行う。
【０１８２】
ステップＲにおいて、ターゲットｅＮＢ２００−２は、ＡＣＫをＵＥ１００に送信する。
【０１８３】
ステップＳにおいて、ターゲットｅＮＢ２００−２は、ＵＥ１００のコンテキスト情報の解放を示す解放メッセージ（ＵＥ  Ｃｏｎｔｅｘｔ  Ｒｅｌｅａｓｅ）をソースｅＮＢ２００−１に送信する。
【０１８４】
第６実施形態によれば、ハンドオーバよりも前において、ターゲットｅＮＢ２００−２への事前ランダムアクセスプロシージャを行う。これにより、第１〜第５実施形態に比べて、より正確なタイミングアドバンス値（ＴＡ）を取得することができる。
【０１８５】
（第６実施形態の変更例）
上述した第６実施形態において、ＵＥ１００は、ハンドオーバよりも前において、ターゲットｅＮＢ２００−２（ターゲットセル）への事前ランダムアクセスプロシージャを行うことにより、ターゲットセルに対して適用するタイミングアドバンス値（ＴＡ）を取得していた。具体的には、事前ランダムアクセスプロシージャを行うために一時的にＤＣを行う状態にしていた。
【０１８６】
これに対し、第６実施形態の変更例は、ＵＥ１００が事前ランダムアクセスプロシージャを行う点において第６実施形態と共通するが、ＤＣを行う状態にはしない。言い換えると、ＵＥ１００は、事前ランダムアクセスプロシージャを行うものの、ターゲットｅＮＢ２００−２との接続を確立しない。
【０１８７】
図１４は、第６実施形態の変更例に係るハンドオーバシーケンスを示す図である。ここでは、ｓｙｎｃｈｒｏｎｏｕｓ  ｎｅｔｗｏｒｋを想定する。ソースｅＮＢ２００−１（ソースセル）及びターゲットｅＮＢ２００−２（ターゲットセル）が同期していると仮定する。
【０１８８】
図１４に示すように、ステップＳ１１において、ターゲットｅＮＢ２００−２は、ＲＡリソース情報及びＲＡプリアンブル情報をソースｅＮｂ２００−１に送信する。
【０１８９】
ＲＡリソース情報は、ターゲットｅＮＢ２００−２が、ソースｅＮＢ２００−１配下のＵＥ１００からランダムアクセスプリアンブルを受信するために準備された特定の時間・周波数リソースを示す情報である。当該特定の時間・周波数リソースは、通常オペレーション用のＰＲＡＣＨリソース領域とは別に設定されてもよい。当該特定の時間・周波数リソースは、通常オペレーション用のＰＲＡＣＨリソース領域の中の一部であってもよい。ソースｅＮＢ２００−１は、当該特定の時間・周波数リソースをブランクにする（すなわち、当該特定の時間・周波数リソースを自セル内の通信に用いない）。
【０１９０】
ＲＡプリアンブル情報は、ターゲットｅＮＢ２００−２が、ソースｅＮＢ２００−１配下のＵＥ１００が送信することを許容する１又は複数のランダムアクセスプリアンブル（特定のプリアンブル系列）を示す情報である。
【０１９１】
ステップＳ１１の処理は、ソースｅＮＢ２００−１とターゲットｅＮＢ２００−２との間にＸ２インターフェイスを確立する際に行われてもよい。この場合、Ｘ２  ＳｅｔｕｐプロシージャにおいてステップＳ１１の処理を行ってもよい。ステップＳ１１の処理は、ターゲットｅＮＢ２００−２の設定を更新する際に行われてもよい。この場合、ｅＮＢ  Ｃｏｎｆｉｇｕｒａｔｉｏｎ  ＵｐｄａｔｅプロシージャにおいてステップＳ１１の処理を行ってもよい。
【０１９２】
ステップＳ１２において、ＵＥ１００は、ソースｅＮＢ２００−１とのＲＲＣ接続を確立した状態（ＲＲＣ  Ｃｏｎｎｅｃｔｅｄ）である。ソースｅＮＢ２００−１は、上述した実施形態と同様の方法で、ターゲットｅＮＢ２００−２へのＵＥ１００のハンドオーバの必要性を認識する。
【０１９３】
ステップＳ１３において、ソースｅＮＢ２００−１は、ターゲットｅＮＢ２００−２から通知された特定の時間・周波数リソース及び特定のプリアンブル系列をＵＥ１００に指定して、ランダムアクセスプリアンブルの送信をＵＥ１００に要求する。
【０１９４】
ステップＳ１４において、ＵＥ１００は、ソースｅＮＢ２００−１からの要求の受信に応じて、ランダムアクセスプリアンブルを送信する。ターゲットｅＮＢ２００−２は、ソースｅＮＢ２００−１に通知した特定の時間・周波数リソースにおいてランダムアクセスプリアンブルを監視している。ターゲットｅＮＢ２００−２は、ＵＥ１００から送信されたランダムアクセスプリアンブルを受信（検知）する。
【０１９５】
ステップＳ１５において、ターゲットｅＮＢ２００−２は、ランダムアクセスプリアンブルの受信タイミングを測定する。
【０１９６】
ステップＳ１６において、ターゲットｅＮＢ２００−２は、ランダムアクセスプリアンブルの受信タイミングに基づいて、ＵＥ１００が現時点でハンドオーバを行ったと仮定して、現在のタイミングアドバンス値を継続して利用可能か否か判断する。
【０１９７】
図１５は、ターゲットｅＮＢ２００−２におけるランダムアクセスプリアンブルの受信タイミングを示す図である。図１５に示すように、ターゲットｅＮＢ２００−２は、ランダムアクセスプリアンブルを受信し終わったタイミングと次のサブフレームの開始タイミングとの間の間隔を算出する。この間隔が所定値以上ならば、現在のタイミングアドバンス値を継続して利用可能と判断する。所定値はＵＥ１００がハンドオーバ先のセルで通常のデータ送信を行った場合に、次のサブフレームに割り当てられたＵＥの送信に障害を与えないような値である必要があり、例えば、「ガードタイム（０．１ｍｓｅｃ）−Ｔｃｐ値（４．７μｓｅｃ［１４４Ｔｓ］）」である。なお、「Ｔｓ」はＬＴＥの単位時間で表した値である。
【０１９８】
図１４に示すように、ステップＳ１７において、ターゲットｅＮＢ２００−２は、ステップＳ１３の判断結果をソースｅＮＢ２００−１に通知する。ターゲットｅＮＢ２００−２は、受信したランダムアクセスプリアンブル番号（Ｐｒｅａｍｂｌｅ  ＩＤ）と判断結果（ＯＫ又はＮＧ）とをソースｅＮＢ２００−１に送信してもよい。プリアンブル番号（Ｐｒｅａｍｂｌｅ  ＩＤ）は、判断結果が「ＯＫ」である場合にのみ送信されてもよい。ターゲットｅＮＢ２００−２は、ソースｅＮＢ２００−１からの要求の受信に応じて、判断結果をソースｅＮＢ２００−１に送信してもよい。
【０１９９】
判断結果が「ＯＫ」である場合、ソースｅＮＢ２００−１は、プリアンブル番号（Ｐｒｅａｍｂｌｅ  ＩＤ）に基づいてＵＥ１００を特定する。ソースｅＮＢ２００−１は、ＲＡＣＨ−ｌｅｓｓ  ＨＯをＵＥ１００に適用するよう制御する。この場合、ＵＥ１００は、ソースｅＮＢ２００−１に対して適用している現在のタイミングアドバンス値をハンドオーバの際にターゲットｅＮＢ２００−２に対して適用する。これに対し、判断結果が「ＮＧ」である場合、ソースｅＮＢ２００−１は、ＲＡＣＨ−ｌｅｓｓ  ＨＯをＵＥ１００に適用しないよう制御する。その他の動作は、上述した実施形態と同様である。
【０２００】
本シーケンスにおいてｓｙｎｃｈｒｏｎｏｕｓ  ｎｅｔｗｏｒｋを想定する一例を説明したが、ａｓｙｎｃｈｒｏｎｏｕｓ  ｎｅｔｗｏｒｋに本シーケンスを適用してもよい。この場合、各ｅＮＢが他のｅＮＢとの同期ずれ量を把握し、当該同期ずれ量を考慮して動作すればよい。
【０２０１】
本シーケンスにおいて、現在のタイミングアドバンス値を継続して利用可能か否か判断する一例を説明した。よって、現在のタイミングアドバンス値を継続して利用不可である場合、ＲＡＣＨ−ｌｅｓｓ  ＨＯをＵＥ１００に適用することができない。
【０２０２】
しかしながら、ＵＥ１００が複数のタイミングアドバンスグループ（ＴＡＧ）をサポートする場合、ハンドオーバよりも前において、ターゲットｅＮＢ２００−２に対して適用するタイミングアドバンス値を事前に取得してもよい。この場合、上述した第６実施形態に係るハンドオーバシーケンスと同様なシーケンスを用いるが、ターゲットｅＮＢ２００−２をＳｅＮＢとして追加する処理を省略する。そのようなシーケンスについて、上述した第６実施形態との相違点を説明する。
【０２０３】
第１に、ＵＥ１００は、サポートしているタイミングアドバンスグループの数をソースｅＮＢ２００−１に通知する。ソースｅＮＢ２００−１は、当該通知に基づいて、ＵＥ１００がターゲットｅＮＢ２００−２とのタイミングアドバンス値を管理可能であると判断する。
【０２０４】
第２に、ソースｅＮＢ２００−１は、図１４のシーケンスと同様に、ターゲットｅＮＢ２００−２の特定の時間・周波数リソース及び特定のプリアンブル系列をＵＥ１００に通知する。ａｓｙｎｃｈｒｏｎｏｕｓ  ｎｅｔｗｏｒｋの場合、ソースｅＮＢ２００−１は、ランダムアクセスプリアンブル送信用のギャップをＵＥ１００に設定してもよい。ソースｅＮＢ２００−１は、当該ギャップの間は、ＵＥ１００との通信を行わない。
【０２０５】
第３に、ＵＥ１００は、特定の時間・周波数リソース及び特定のプリアンブル系列を用いて、ランダムアクセスプリアンブルをターゲットｅＮＢ２００−２に送信する。ターゲットｅＮＢ２００−２は、ＵＥ１００から受信したランダムアクセスプリアンブルを用いてタイミングアドバンス値を算出する。ターゲットｅＮＢ２００−２は、ソースｅＮＢ２００−１を通じて当該タイミングアドバンス値をＵＥ１００に通知する。
【０２０６】
ＵＥ１００は、ランダムアクセスプリアンブルを周期的に送信してもよい。ＵＥ１００は、ソースｅＮＢ２００−１からの参照信号の受信電力が閾値を下回ったこと、及び／又は、ターゲットｅＮＢ２００−２からの参照信号の受信電力が閾値以上になったことに応じて、ランダムアクセスプリアンブルを送信してもよい。これらの周期及び閾値は、ソースｅＮＢ２００−１からＵＥ１００にＲＲＣシグナリング等で通知されてもよいし、予め定められた固定値であってもよい。
【０２０７】
（第７実施形態）
第７実施形態について、第１〜第６実施形態との相違点を主として説明する。上述した実施形態に係るＲＡＣＨ−ｌｅｓｓ  ＨＯにおいて、ターゲットｅＮＢ２００−２（ターゲットセル）に対して適用するタイミングアドバンス値をネットワーク側で決定する動作を主として説明した。これに対し、第７実施形態は、当該タイミングアドバンス値をＵＥ１００側で自律的に決定する。
【０２０８】
第７実施形態に係るＵＥ１００は、ハンドオーバよりも前において、ソースｅＮＢ２００−１（ソースセル）から送信された第１の既知信号及びターゲットｅＮＢ２００−２（ターゲットセル）から送信された第２の既知信号を受信する。第７実施形態において、ｓｙｎｃｈｒｏｎｏｕｓ  ｎｅｔｗｏｒｋを想定し、第１及び第２の既知信号は同一のシンボルにおいて送信される。言い換えると、第１及び第２の既知信号は同時に送信される。但し、第１及び第２の既知信号は周波数方向に多重される（ＦＤＭ）。第１及び第２の既知信号のそれぞれの時間・周波数リソース（リソースエレメント）及び／又は系列は、ソースｅＮＢ２００−１からＵＥ１００にＲＲＣシグナリング等で通知されてもよいし、セルＩＤ等に応じて定められてもよい。
【０２０９】
図１６は、第７実施形態に係る第１及び第２の既知信号を示す図である。図１６において、時間方向の１つの区画は１つのサブフレームを意味する。
【０２１０】
図１６に示すように、ソースｅＮＢ２００−１（ソースセル）は、特定のシンボルの第１のサブキャリア（以下、「第１のリソース領域」と称する）を用いて第１の既知信号を送信する。第１の既知信号は、パイロット信号（ＰＳ）と称されてもよい。ターゲットｅＮＢ２００−２（ターゲットセル）は、当該特定のシンボルの第２のサブキャリア（以下、「第２のリソース領域」と称する）を用いて第２の既知信号を送信する。図１６に示す例において、既知信号が送信される周波数（サブキャリア）は、同期信号（ＰＳＳ、ＳＳＳ）が送信される周波数と一致している。
【０２１１】
ソースｅＮＢ２００−１は、第２のリソース領域において自局の送信を停止してもよい。ターゲットｅＮＢ２００−２は、第１のリソース領域において自局の送信を停止してもよい。自局の送信を停止するリソース領域を、ｎｅｉｇｈｂｏｒ  ｐｉｌｏｔ  ｓｉｇｎａｌ  ｍｏｎｉｔｏｒｉｎｇ（ＮＣＰＳ−Ｍ）と称してもよい。ソースｅＮＢ２００−１は、ＵＥ１００に、前記ＮＣＰＳ−Ｍを明示的に通知してもよい。ソースｅＮＢ２００−１は、第１及び第２の同期信号を送信するタイミングについて測定ギャップをＵＥ１００に設定してもよい。
【０２１２】
ＵＥ１００は、既知信号が送信されるシンボルにおいて、ソースｅＮＢ２００−１及びターゲットｅＮＢ２００−２の既知信号の到着時間差を計算する。すなわち、ＵＥ１００は、第１及び第２の既知信号の到着時間差を算出する。ＵＥ１００は、ソースｅＮＢ２００−１に対して適用する第１のタイミングアドバンス値（現在のタイミングアドバンス値）と当該到着時間差とに基づいて、ターゲットｅＮＢ２００−２に対して適用する第２のタイミングアドバンス値を決定する。例えば、ＵＥ１００は、第１のタイミングアドバンス値に、到着時間差の２倍の値を加えた値を、第２のタイミングアドバンス値として算出する。ＵＥ１００は、算出した第２のタイミングアドバンス値を用いてＲＡＣＨ−ｌｅｓｓ  ＨＯを行う。
【０２１３】
第７実施形態において、ＵＥ１００は、第１及び第２の既知信号のそれぞれの受信電力を測定し、それらの受信電力差をさらに算出してもよい。ＵＥ１００は、受信電力差に基づいて、ターゲットｅＮＢ２００−２に対して適用する上りリンク送信電力を決定（例えば、上りリンクの初送の送信電力を補正）してもよい。例えば、ソースｅＮＢ２００−１からの受信電力がＰ１で、ターゲットｅＮＢ２００−２からの受信電力がＰ２（Ｐ１＞Ｐ２）である場合、ソースｅＮＢ２００−１で使用していた送信電力に２＊（Ｐ１−Ｐ２）を加えた値を、ターゲットｅＮＢ２００−２での送信電力として算出する。
【０２１４】
第１及び第２の既知信号が周波数方向に多重（ＦＤＭ）される一例を説明した。しかしながら、第１及び第２の既知信号が符号系列により多重（ＣＤＭ）されてもよい。ｓｙｎｃｈｒｏｎｏｕｓ  ｎｅｔｗｏｒｋを想定したが、ａｓｙｎｃｈｒｏｎｏｕｓ  ｎｅｔｗｏｒｋを想定してもよい。この場合、ソースｅＮＢ２００−１はターゲットｅＮＢ２００−２との同期ずれ量をＵＥ１００に通知し、ＵＥ１００が当該同期ずれ量を考慮して到着時間差を算出してもよい。
【０２１５】
（その他の実施形態）
上述した実施形態に係る動作は、ソースセル及びターゲットセルが同じｅＮＢ２００に属するケースにも応用可能である。このようなケースは、イントラｅＮＢハンドオーバと称されることがある。イントラｅＮＢハンドオーバの場合、上述した実施形態に係る動作においてターゲットｅＮＢ２００−２が行う処理をソースｅＮＢ２００−１が行うことになる。
【０２１６】
また、上述した実施形態に係る動作は、ＳＣＧ  Ｃｈａｎｇｅにも適用可能である。ＳＣＧ  Ｃｈａｎｇｅは、ＳＣＧの再設定プロシージャであり、通常はプライマリ・セカンダリセル（ＰＳＣｅｌｌ）上でのランダムアクセスを伴う。同一ｅＮＢ内でＳＣＧ  Ｃｈａｎｇｅが行われてもよいし、異なるｅＮＢ間でＳＣＧ  Ｃｈａｎｇｅが行われてもよい。上述したハンドオーバコマンドを、ＳＣＧ  Ｃｈａｎｇｅのコマンドと読み替えてもよいし、上述したターゲットセルをプライマリ・セカンダリセル（ＰＳＣｅｌｌ）と読み替えてもよい。
【０２１７】
上述した各実施形態において、ハンドオーバ要求メッセージ、ハンドオーバ承認メッセージ、及びハンドオーバコマンドに、実施形態に係る新規な情報要素を含める一例を説明した。しかしながら、これらのメッセージ以外の所定のメッセージに、実施形態に係る新規な情報要素を含めてもよい。所定のメッセージは、周期的に送信されるメッセージであってもよい。
【０２１８】
上述した各実施形態を別個独立に実施する場合に限らず、２以上の実施形態を組み合わせて実施してもよい。例えば、一の実施形態に係る一部の構成を他の実施形態に追加してもよい。或いは、一の実施形態に係る一部の構成を他の実施形態の一部の構成と置換してもよい。
【０２１９】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０２２０】
［相互参照］
本願は日本国特許出願第２０１６−０１１９１４号（２０１６年１月２５日出願）及び日本国特許出願第２０１６−０９６９６５号（２０１６年５月１３日出願）の優先権を主張し、その内容の全てが本願明細書に組み込まれている。
【産業上の利用可能】
【０２２１】
本発明は、通信分野において有用である。
【図１】
2017130852.tif 000003
【図２】
2017130852.tif 000004
【図３】
2017130852.tif 000005
【図４】
2017130852.tif 000006
【図５】
2017130852.tif 000007
【図６】
2017130852.tif 000008
【図７】
2017130852.tif 000009
【図８】
2017130852.tif 000010
【図９】
2017130852.tif 000011
【図１０】
2017130852.tif 000012
【図１１】
2017130852.tif 000013
【図１２】
2017130852.tif 000014
【図１３】
2017130852.tif 000015
【図１４】
2017130852.tif 000016
【図１５】
2017130852.tif 000017
【図１６】
2017130852.tif 000018
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
第１基地局と第２基地局とが無線端末と二重接続を行うための方法であって、
前記第１基地局が、基地局への初期アクセスを行うためのランダムアクセスプロジージャを省略する機能を前記無線端末がサポートすることを示す能力情報を取得するステップと、
前記第１基地局が、前記能力情報を含むＳｅＮＢ追加要求メッセージを前記第２基地局に送信するステップと、
前記第２基地局が、ＳｅＮＢ追加承認メッセージを前記第１基地局に送信するステップであって、前記ＳｅＮＢ追加承認メッセージは、前記第２基地局への前記ランダムアクセスプロジージャを前記無線端末が省略することを示す情報と、前記第２基地局が前記無線端末に割り当てる上りリンク無線リソースを示す上りリンクグラントと、前記第２基地局への上りリンク送信に適用すべきタイミングアドバンス（ＴＡ）値とを含む、ステップと、
前記第１基地局が、前記情報と前記上りリンクグラントと前記ＴＡ値とを前記無線端末に通知するために第１メッセージを送信するステップと、
前記無線端末が、前記情報と前記ＴＡ値に基づいて前記第２基地局への前記ランダムアクセスプロシージャを省略するステップと、
前記無線端末が、前記上りリンクグラントに示された前記上りリンク無線リソースを用いて前記第２基地局への上りリンク送信を行うステップと、を備える通信方法。
【請求項２】
第２基地局と無線端末と二重接続を行うための第１基地局であって、
制御部を備え、
前記制御部は、
基地局への初期アクセスを行うためのランダムアクセスプロジージャを省略する機能を前記無線端末がサポートすることを示す能力情報を取得する処理と、
前記能力情報を含むＳｅＮＢ追加要求メッセージを前記第２基地局に送信する処理と、
ＳｅＮＢ追加承認メッセージを前記第２基地局から受信するステップであって、前記ＳｅＮＢ追加承認メッセージは、前記第２基地局への前記ランダムアクセスプロジージャを前記無線端末が省略することを示す情報と、前記第２基地局が前記無線端末に割り当てる上りリンク無線リソースを示す上りリンクグラントと、前記第２基地局への上りリンク送信に適用すべきタイミングアドバンス（ＴＡ）値とを含む、処理と、
前記情報と前記上りリンクグラントと前記ＴＡ値とを前記無線端末に通知するために第１メッセージを送信する処理と、を実行する第１基地局。
【請求項３】
第２基地局と無線端末と二重接続を行うための第１基地局を制御するためのプロセッサであって、
前記プロセッサは、
基地局への初期アクセスを行うためのランダムアクセスプロジージャを省略する機能を前記無線端末がサポートすることを示す能力情報を取得する処理と、
前記能力情報を含むＳｅＮＢ追加要求メッセージを前記第２基地局に送信する処理と、
ＳｅＮＢ追加承認メッセージを前記第２基地局から受信するステップであって、前記ＳｅＮＢ追加承認メッセージは、前記第２基地局への前記ランダムアクセスプロジージャを前記無線端末が省略することを示す情報と、前記第２基地局が前記無線端末に割り当てる上りリンク無線リソースを示す上りリンクグラントと、前記第２基地局への上りリンク送信に適用すべきタイミングアドバンス（ＴＡ）値とを含む、処理と、
前記情報と前記上りリンクグラントと前記ＴＡ値とを前記無線端末に通知するために第１メッセージを送信する処理と、を実行するプロセッサ。
【請求項４】
マスタセルグループ（ＭＣＧ）を管理するマスタ基地局として動作する第１基地局と、セカンダリセルグループ（ＳＣＧ）を管理するセカンダリ基地局として動作する第２基地局との二重接続を有する無線端末に対して、前記セカンダリ基地局を前記第２基地局から前記第２基地局とは異なる第３基地局に変更するための方法であって、
前記第１基地局が、基地局への初期アクセスを行うためのランダムアクセスプロジージャを省略する機能を前記無線端末がサポートすることを示す能力情報を前記無線端末から取得するステップと、
前記第１基地局が、前記セカンダリ基地局を前記第２基地局から前記第３基地局に変更することを指示する指示メッセージを前記無線端末に送信するステップであって、前記指示メッセージは、前記第３基地局への前記ランダムアクセスプロジージャを前記無線端末が省略することを示す情報と、前記第３基地局が前記無線端末に割り当てる上りリンク無線リソースを示す上りリンクグラントと、前記第３基地局への上りリンク送信に適用すべきタイミングアドバンス（ＴＡ）値とを含む、ステップと、
前記無線端末が、前記情報と前記ＴＡ値に基づいて前記第３基地局への前記ランダムアクセスプロシージャを省略するステップと、
前記無線端末が、前記上りリンクグラントに示された前記上りリンク無線リソースを用いて前記第３基地局への上りリンク送信を行うステップと、を備える通信方法。
【請求項５】
マスタセルグループ（ＭＣＧ）を管理するマスタ基地局として動作する第１基地局と、セカンダリセルグループ（ＳＣＧ）を管理するセカンダリ基地局として動作する第２基地局との二重接続を有する無線端末であって、
制御部を備え、
前記制御部は、
基地局への初期アクセスを行うためのランダムアクセスプロジージャを省略する機能を前記無線端末がサポートすることを示す能力情報を前記第１基地局に対して送信する処理と、
前記セカンダリ基地局を前記第２基地局から前記第２基地局とは異なる第３基地局に変更することを指示する指示メッセージを前記第１基地局から受信する処理であって、前記指示メッセージは、前記第３基地局への前記ランダムアクセスプロジージャを前記無線端末が省略することを示す情報と、前記第３基地局が前記無線端末に割り当てる上りリンク無線リソースを示す上りリンクグラントと、前記第３基地局への上りリンク送信に適用すべきタイミングアドバンス（ＴＡ）値とを含む、処理と、
前記情報と前記ＴＡ値に基づいて前記第３基地局への前記ランダムアクセスプロシージャを省略する処理と、
前記上りリンクグラントに示された前記上りリンク無線リソースを用いて前記第３基地局への上りリンク送信を行う処理と、を実行する無線端末。
【国際調査報告】
2017130852.tif 000019
2017130852.tif 000020
2017130852.tif 000021
2017130852.tif 000022